(57)【要約】患者の血管の粥状硬化物質の偏倚性再造形および／または除去を行うためのカテーテルおよびカテーテル・システムは、放射状膨張可能構造とともに細長い曲げやすいカテーテル本体を含む。複数の電極または他の電気外科的エネルギー送出面は、構造が膨張したときに粥状硬化物質と放射状に係合することができる。カテーテル本体の遠位端近くにある粥状硬化物質検出器は周辺粥状硬化物質分布を測定することができ、電源は電極を選択的に通電し、測定された粥状硬化物質の偏倚性再造形を行う。
2007504910.tif 000002
【特許請求の範囲】
【請求項１】
患者の血管の粥状硬化物質の偏倚性再造形のためのカテーテル・システムであって、
間に軸を置く近位端と遠位端を持つ細長く曲げやすいカテーテル本体と、
前記カテーテル本体の前記遠位端近くの放射状に膨張可能な構造と、
前記膨張可能な構造が膨張するときに、それぞれが放射状に向き付けられている、複数のエネルギー送出面と、
周辺粥状硬化物質検出を行うために配置された粥状硬化物質検出器と、
前記エネルギー送出面に電気的に結合された、前記検出された粥状硬化物質の偏倚性再造形を行うために前記エネルギー送出面に通電する、電源とを備えるカテーテル・システム。
【請求項２】
前記カテーテル本体は、前記近位端と前記遠位端との間に延びる内腔を持つ請求項１に記載のカテーテル・システム。
【請求項３】
さらに、前記カテーテル本体の前記近位端で前記内腔と流体により連絡する吸引コネクタを備える請求項２に記載のカテーテル・システム。
【請求項４】
さらに、それぞれ前記エネルギー送出面の近位と遠位に配置された近位と遠位破片バリヤ、および粥状硬化物質再造形時に破片を除去するため前記近位バリヤと前記遠位バリヤとの間に配置された吸引ポートを備える請求項３に記載のカテーテル・システム。
【請求項５】
前記粥状硬化物質検出器は、
前記内腔内に配置された血管内超音波法カテーテルと、
前記内腔内に配置された血管内光干渉断層撮影カテーテルと、
前記内腔内に配置された血管内磁気共鳴撮像カテーテルのうちの少なくとも１つを備える請求項２に記載のカテーテル・システム。
【請求項６】
さらに、前記カテーテル本体の前記近位端と前記カテーテル本体の前記遠位端との間に延びる洗浄内腔を備える請求項２に記載のカテーテル・システム。
【請求項７】
さらに、前記血管の再狭窄を抑制するために前記内腔内で遠位に進めることができる再狭窄抑制剤を備える請求項２に記載のカテーテル・システム。
【請求項８】
前記再狭窄抑制剤は、放射線源を備える近接照射療法カテーテルを含む請求項７に記載のカテーテル・システム。
【請求項９】
前記放射状膨張可能本体は、複数の曲げやすいストラットを備え、前記エネルギー送出面は、円周方向に向けられた配列を形成する請求項１に記載のカテーテル・システム。
【請求項１０】
前記放射状膨張可能構造のストラットは、膨張可能バスケットを定めるために間に配置された切り目を持ち、前記バスケットは、近位部分と遠位部分を持ち、中間部分はそれらの間に配置され、電極の前記配列は前記バスケットが前記血管内で膨張したときに隣接する粥状硬化物質と係合するように前記中間部分に沿って支えられ、さらに、前記バスケットの内部と流体で連絡している吸引ポートを備える請求項９に記載のカテーテル・システム。
【請求項１１】
さらに、破片の遠位移動を抑制するための前記電極から遠位にある前記血管内に展開可能な遠位膜、および前記破片の近位移動を抑制するための前記電極から近位に展開可能な近位膜を備え、前記膜は、前記再造形プロセスと血液との相互作用を抑制する請求項１０に記載のカテーテル・システム。
【請求項１２】
前記遠位膜は、放射状に膨張するように前記バスケットの前記遠位部分により支えられ、前記近位膜は、放射状に膨張するように前記バスケットの前記近位部分により支えられる請求項１１に記載のカテーテル・システム。
【請求項１３】
前記近位膜および遠位膜のうちの少なくとも１つは、前記バスケットから軸方向にオフセットされたバルーンを含む請求項１２に記載のカテーテル・システム。
【請求項１４】
前記電極は、前記軸を中心として周辺に分配された少なくとも３つの選択可能な電極からなる配列、および前記検出された粥状硬化物質に応答して前記電極配列の偏倚性サブセットを選択的に通電するため前記電源を前記電極配列に結合するコントローラを備える請求項１に記載のカテーテル・システム。
【請求項１５】
それぞれの電極は、前記膨張可能構造の隣接するストラットにより支えられる金属面を含み、関連する導体は前記電極面を前記コントローラに電気的に結合するように前記電極から近位に延ばされる請求項１４に記載のカテーテル・システム。
【請求項１６】
コントローラは、ＲＦエネルギーおよびマイクロ波エネルギーのうちの少なくとも一方を送ることにより前記エネルギー指向面のサブセットを選択的に通電する請求項１に記載のカテーテル・システム。
【請求項１７】
前記粥状硬化物質検出器は、超音波振動子または光干渉反射率計を備える請求項１に記載のカテーテル・システム。
【請求項１８】
さらに、前記粥状硬化物質検出器に結合されたディスプレイを備え、前記ディスプレイは前記カテーテル軸を中心として分布する周辺粥状硬化物質厚さの画像を示す請求項１に記載のカテーテル・システム。
【請求項１９】
患者の血管から粥状硬化物質の偏倚性除去を行うためのカテーテル・システムであって、
間に軸を置く近位端と遠位端を持つ細長く曲げやすいカテーテル本体と、
前記カテーテル本体の前記遠位端近くの放射状に膨張可能な構造と、
前記膨張可能構造が膨張したときに粥状硬化物質に対し放射状に押し付けられるように向けられた複数の電極と、
粥状硬化物質の周辺測定のため前記カテーテル本体の遠位端近くに配置された粥状硬化物質検出器と、
前記電極に電気的に結合された、前記測定された粥状硬化物質の偏倚性切除を行うために前記電極に通電する、電源とを備えるカテーテル・システム。
【請求項２０】
前記カテーテル本体は、前記近位端と前記遠位端との間に延びる内腔を持つ請求項１９に記載のカテーテル・システム。
【請求項２１】
さらに、前記カテーテル本体の前記近位端で前記内腔と流体により連絡する吸引コネクタを備える請求項２０に記載のカテーテル・システム。
【請求項２２】
さらに、それぞれ前記電極の近位と遠位に配置された近位と遠位切除破片バリヤ、および粥状硬化物質切除時に切除破片を除去するため前記近位バリヤと前記遠位バリヤとの間に配置された吸引ポートを備える請求項２１に記載のカテーテル・システム。
【請求項２３】
前記粥状硬化物質検出器は、前記内腔内に配置された、血管内超音波法カテーテルの超音波振動子を備える請求項２０に記載のカテーテル・システム。
【請求項２４】
さらに、前記カテーテル本体の前記近位端と前記カテーテル本体の前記遠位端との間に延びる洗浄内腔を備える請求項２０に記載のカテーテル・システム。
【請求項２５】
さらに、前記血管の再狭窄を抑制するために前記内腔内で遠位に進めることができる再狭窄抑制剤を備える請求項２０に記載のカテーテル・システム。
【請求項２６】
前記再狭窄抑制剤は、放射線源を備える近接照射療法カテーテルを含む請求項２５に記載のカテーテル・システム。
【請求項２７】
前記放射状膨張可能本体は、複数の曲げやすいストラットを備え、前記電極は、円周方向に向けられた配列を形成する請求項１９に記載のカテーテル・システム。
【請求項２８】
前記放射状膨張可能構造のストラットは、膨張可能バスケットを定めるために間に配置された切り目を持ち、前記バスケットは、近位部分と遠位部分を持ち、中間部分はそれらの間に配置され、電極の配列は前記バスケットが前記血管内で膨張したときに前記隣接する粥状硬化物質と係合するように前記中間部分に沿って支えられ、さらに、前記バスケットの内部と流体で連絡している吸引ポートを備える請求項２７に記載のカテーテル・システム。
【請求項２９】
さらに、切除破片の遠位移動を抑制するための電極から遠位にある前記血管内に展開可能な遠位膜、および前記切除破片の近位移動を抑制するための前記電極から近位に展開可能な近位膜を備え、前記膜は、前記切除プロセスと血液との相互作用を抑制する請求項２８に記載のカテーテル・システム。
【請求項３０】
前記遠位膜は、放射状に膨張するように前記バスケットの前記遠位部分により支えられ、前記近位膜は、放射状に膨張するように前記バスケットの前記近位部分により支えられる請求項２９に記載のカテーテル・システム。
【請求項３１】
前記近位膜および遠位膜のうちの少なくとも１つは、前記バスケットから軸方向にオフセットされたバルーンを含む請求項３０に記載のカテーテル・システム。
【請求項３２】
前記電極は、前記軸を中心として周辺に分配された少なくとも６つの代替選択可能な電極からなる配列、および前記測定された粥状硬化物質に反応して前記電極配列の偏倚性サブセットを選択的に通電するため前記電源を前記電極配列に結合するコントローラを備える請求項１９に記載のカテーテル・システム。
【請求項３３】
それぞれの電極は、前記膨張可能構造の隣接するストラットにポリマーにより貼り付けられた金属体を含み、関連する導体は前記電極面を前記コントローラに電気的に結合するように前記電極から近位に延ばされる請求項３２に記載のカテーテル・システム。
【請求項３４】
前記コントローラは、ＲＦエネルギーを送ることにより電極を選択的に通電する請求項３２に記載のカテーテル・システム。
【請求項３５】
前記粥状硬化物質検出器は、超音波振動子または光干渉反射率測定機能を備える請求項１９に記載のカテーテル・システム。
【請求項３６】
さらに、前記カテーテル軸を中心として分布する周辺粥状硬化物質厚さの画像を示すディスプレイを備える請求項２０に記載のカテーテル・システム。
【請求項３７】
患者の血管の粥状硬化物質の再造形のためのカテーテルであって、
間に内腔がある近位端と遠位端を持つ細長く曲げやすいカテーテル本体と、
前記カテーテル本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記血管内で膨張したときに隣接する粥状硬化物質の選択的再造形を行う、周辺電極配列と、
前記吸引内腔と前記バスケットの内部との間を流体で連絡させる吸引ポートとを備えるカテーテル。
【請求項３８】
前記カテーテル本体は、吸引内腔を備え、さらに、
前記吸引内腔と前記バスケットの内部との間を流体で連絡させる吸引ポートと、
前記バスケットが前記血管内で膨張したときに破片の遠位移動を抑制するため前記バスケットの前記遠位部分により支えられる遠位膜、および前記バスケットが前記血管内で膨張したときに破片の近位移動を抑制するため前記バスケットの前記近位部分により支えられる近位膜とを備える請求項３７に記載のカテーテル。
【請求項３９】
患者の血管から粥状硬化物質の除去を行うためのカテーテルであって、
間に軸方向吸引内腔がある近位端と遠位端を持つ細長く曲げやすいカテーテル本体と、
前記カテーテル本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記血管内で膨張したときに隣接する粥状硬化物質の切除を行う、周辺電極配列と、
前記吸引内腔と前記バスケットの内部との間を流体で連絡させる吸引ポートと、
前記バスケットが前記血管内で膨張したときに切除破片の遠位移動を抑制するため前記バスケットの前記遠位部分により支えられる遠位膜、および前記バスケットが前記血管内で膨張したときに切除破片の近位移動を抑制するため前記バスケットの前記近位部分により支えられる近位膜とを備えるカテーテル。
【請求項４０】
患者の血管の偏倚性粥状硬化物質の再造形のための方法であって、
前記血管内に、また前記粥状硬化物質に隣接して、カテーテルの作業端の位置を決め、前記カテーテルで軸を定めることと、
前記カテーテルの少なくとも１つのエネルギー送出面を前記粥状硬化物質に対し係合させるために放射状に膨張することと、
前記カテーテルの軸を中心とする前記粥状硬化物質の周辺分布を決定することと、
前記決定された粥状硬化物質分配に応答して前記カテーテルの前記軸に関して前記少なくとも１つのエネルギー送出面から偏倚性的に電気外科的エネルギーの方向を決めることとを含む方法。
【請求項４１】
前記電気外科的エネルギーは、前記電極のサブセットを通電することにより前記カテーテル軸を中心に前記エネルギー送出面を回転することなく偏倚性的に向き付けられ、さらに、前記決定された粥状硬化物質分配に応じて電極の前記サブセットを選択することを含む請求項４０に記載の方法。
【請求項４２】
さらに、前記決定された粥状硬化物質分配に選択された電極を回転登録することを含む請求項４０に記載の方法。
【請求項４３】
前記登録は、区別可能な画像を持つ前記膨張可能バスケットの１つまたは複数の構造を参照しつつ実行される請求項４２に記載の方法。
【請求項４４】
前記登録は、電子信号を参照しつつ自動的に実行される請求項４２に記載の方法。
【請求項４５】
患者の血管から偏倚性粥状硬化物質除去を行うための方法であって、
前記血管内に、また前記粥状硬化物質に隣接して、カテーテルの作業端の位置を決め、前記カテーテルで軸を定めることと、
前記カテーテルの複数の電極を前記粥状硬化物質に対し係合させるために前記カテーテルを放射状に膨張することと、
前記カテーテルの軸を中心とする前記粥状硬化物質の周辺分布を測定することと、
前記測定された粥状硬化物質分配に応答して前記カテーテルの軸に関して偏倚性的に前記電極から方向を決めることとを含む方法。
【請求項４６】
さらに、前記測定された粥状硬化物質分配に選択された電極を回転登録することを含む請求項４５に記載の方法。
【請求項４７】
前記登録は、区別可能な画像を持つ前記膨張可能バスケットの非対称構造を参照しつつ実行される請求項４６に記載の方法。
【請求項４８】
前記登録は、電子信号を参照しつつ自動的に実行される請求項４６に記載の方法。
【請求項４９】
患者の人体内腔の物質の偏倚性再造形のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺測定のため配置された物質検出器と、
前記電極に電気的に結合された、前記測定された物質の偏倚性再造形を行うために前記電極に通電する、電源とを備えるシステム。
【請求項５０】
患者の人体内腔の閉塞物質の再造形のための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質の再造形を行う、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【請求項５１】
患者の人体内腔の物質の偏倚性除去のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺測定のため前記カテーテル本体の遠位端近くに配置された物質検出器と、
前記電極に電気的に結合された、前記測定された物質の偏倚性切除を行うために前記電極に通電する、電源とを備えるシステム。
【請求項５２】
患者の人体内腔から閉塞物質の除去を行うための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質の切除を行う、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【請求項５３】
患者の人体内腔の物質の偏倚性再造形のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺検出のため配置された物質検出器と、
前記電極に電気的に結合された、前記検出された物質の偏倚性再造形を行うために前記電極に通電する、電源とを備えるシステム。
【請求項５４】
患者の人体内腔内で閉塞物質の再造形を行うための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質と係合する、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【発明の詳細な説明】
【関連出願】
【０００１】
本出願は、完全な開示が参照により本明細書に組み込まれる、２００３年９月１２日に出願した米国仮特許出願第６０／５０２，５１５号の利益を３５  ＵＳＣ第１１９条（ｅ）に基づいて請求する通常の非仮特許出願である。
【０００２】
（連邦政府後援研究開発に基づき実施された発明の権利に関する供述）
該当なし。
【０００３】
コンパクト・ディスクで提出される「シーケンス・リスティング」、表、またはコンピュータ・プログラム・リスティング付録への参照
該当なし。
【技術分野】
【０００４】
本発明は、一般に、医療機器、システム、方法に関係する。本発明の例示的な一実施形態では、血流を改善するための、多くの場合、バルーン血管形成、ステンティング(stenting)、および／または膨張を使用なしで、カテーテルに基づく動脈内の粥状硬化プラークの再造形および／または除去を提供する。本発明の構造では、多くの場合、血管内の制御環境ゾーンにおいて、理想的には同一場所に配置された血管内撮像機能とともに、通常電気外科的エネルギーを使用して、オプションにより電気外科的切除を使用して、画像誘導偏倚性再造形および／または粥状硬化物質の除去を行うことができる。関係する実施形態は、泌尿器、生殖器、胃腸、肺の閉塞性障害物質除去を含む、オプションにより腫瘍、嚢胞、ポリプなどの除去または低減を行う、さまざまな人体内腔内の応用を持つ。
【背景技術】
【０００５】
医者は、カテーテルを使用して、特に血管などの人体内腔内の体内組織にアクセスし、修復する。例えば、バルーン血管形成や他のカテーテルは、粥状硬化性疾患により狭くなってしまった動脈を開くために使用されることが多い。
【０００６】
バルーン血管形成は、多くの場合、閉塞した血管を開くのに有効であるが、バルーン膨張に関連する外傷は、重大な損傷を引き起こす可能性があり、そのため、バルーン膨張のメリットは時間を限られることがある。ステントは、一般に、血管の有益な開放を拡大するために使用される。
【０００７】
ステンティングは、バルーン膨張とともに、粥状硬化症の好ましい治療法であることが多い。ステンティングでは、折り畳まれた金属フレームワークが、体内に持ち込まれるバルーン・カテーテル上に取り付けられる。ステントが、閉塞部位内に巧みに挿入され、バルーンの膨張により適所で膨張する。ステティングは、幅広く受け入れられており、多くの手術例において一般的に受け入れることができる結果を得ている。ステントは、血管（特に、冠状動脈）の治療とともに、生殖器、胃腸、肺の閉塞の治療など、体内の他の多くの管状閉塞を治療する際にも使用することができる。
【０００８】
ステンティング後の人体内腔の再狭窄またはその後の狭窄は、著しく多くの手術例において発生していた。最近、薬剤をコーティングしたステント（Ｊｏｈｎｓｏｎ  ａｎｄ  ＪｏｈｎｓｏｎのＣｙｐｈｅｒ（商標）ステント、Ｓｉｒｏｌｉｍｕｓ（商標）を含む関連する薬剤など）は、再狭窄率の著しい低減を実証しており、他は、代替薬剤溶出ステントを開発、商品化中である。さらに、血管形成手術成功率も高められる浸透性薬剤送出（静脈または経口）の研究も開始している。
【０００９】
薬剤溶出ステントは多くの患者の粥状硬化症の治療に著しく有望であるように見えるが、ステントを使用できなかったり、著しい不都合がある多くの事例が残っている。一般に、ステンティングは、体内にインプラントを残す。このようなインプラントは、特にインプラントの除去が困難であり、侵襲的外科手術を伴う場合に、機械的疲労、腐食など、危険な状況が生じる場合がある。ステンティングは、びまん性動脈疾患の治療、分岐の治療、圧搾に弱い人体の部位の治療だけでなく、捻れ、伸張、短縮に曝される動脈の治療に関してさらに不利点を持つことがある。
【００１０】
多くの場合、バルーン血管形成および／またはステンティングと併用する、血管内放射線、極低温治療、超音波エネルギーなどを含む、さまざまな修正再狭窄治療または再狭窄抑制閉塞治療のモダリティも、提案されている。これらのアプローチや異なるアプローチは、血管形成術やステンティングに続く血流内のその後の低下を減少させるさまざまな程度の有望性を示しているが、血管形成術により最初に組織に加えられた外傷はいぜんとして問題である。
【００１１】
狭窄動脈を開くステンティングとバルーン血管形成の代替手段も多数提案されている。例えば、さまざまなアテローム切除機器やアテローム切除技術が開示され、試行されている。血管形成術とステンティングに不利点や制限があるにもかかわらず、アテレクトミーは、膨張法に基づくアプローチの広範な使用と成功率を達成していない。さらに、膨張法の不利点は明らかになっている。これらは、破裂して心筋梗塞または心臓麻痺を引き起こすおそれのある物質を放出する可能性のある脆いプラークの存在を含む。
【発明の開示】
【発明が解決しようとする課題】
【００１２】
上記に照らして、粥状硬化物質や、人体の内腔の、および特に血管からの他の閉塞の再造形および／または除去のための新しい機器、システム、方法を実現すると都合がよいであろう。さらに、膨張の外傷に頼らずにこれらの閉塞物質の除去を可能にし、血管とステンティングに適しない他の人体内腔の開放を可能にすることが望ましいであろう。
【課題を解決するための手段】
【００１３】
第１の態様では、本発明は、患者の血管の粥状硬化物質の偏倚性再造形のためのカテーテル・システムを実現する。このシステムは、間に軸を置く近位端と遠位端を持つ細長く曲げやすいカテーテル本体を備える。放射状に膨張可能な構造は、カテーテル本体の末端近くに配置され、複数のエネルギー送出面はそれぞれ、膨張可能な構造が膨張する場合に放射状に向き付けられる。粥状硬化物質検出器は、周囲粥状硬化物質検出のために配設される。電源は、エネルギー送出面に電気的に結合される。電源は、エネルギー送出面に電力を供給し、検出された粥状硬化物質の偏倚性再造形を行う。
【００１４】
電源は、偏倚性再造形を行うためにエネルギー送出面のサブセットに選択的に電力を供給する。カテーテル本体は、近位端と遠位端との間で伸張する内腔を持ち、吸引コネクタはカテーテル本体の近位端のところで内腔と流体により連絡することができる。近位端と遠位端の破片バリヤは、それぞれ、エネルギー送出面の近位と遠位に配置することができ、吸引ポートは、粥状硬化物質再造形時に破片を除去するため近位バリヤと遠位バリヤとの間に配置することができる。
【００１５】
粥状硬化物質検出器は、カテーテルの本体の内腔内に配置された血管内超音波法カテーテル、内腔内に配置された血管内光干渉断層撮影カテーテル、内腔内に配置されたＭＲＩアンテナを備える血管内カテーテルなどを含むことができる。他の検出器では、それにより、検出器が血管内に配置されないように、Ｘ線、ＣＴシステム、非侵襲的ＭＲＩまたはＮＭＲシステムなどを利用する外部システムを含む、さまざまな非侵襲的撮像モダリティを採用することができる。いくつかの実施態様では、近接照射療法カテーテルまたは他の再狭窄抑制薬を内腔内で遠くに進めることができる。
【００１６】
放射状に膨張可能な本体は、複数の曲げやすいストラットを備え、エネルギー送出面は円周方向に向けられた配列を形成させ、エネルギー送出面は多くの場合電極またはマイクロ波アンテナを備える。放射状に膨張可能な構造のストラットは、それらの間に切り目を配置し、膨張可能なバスケットを定めるようにできる。バスケットは、近位部分と遠位部分とを持つことができ、それらの間に中間部分が配置される。電極の配列を中間部分に沿って支え、バスケットが血管内で膨張したときに隣接する粥状硬化物質と係合するようにできる。電極は、別々に形成されたバスケット・ストラットに取り付けられた電極構造の導電面を含むことができる。他の実施態様では、電極面は、膨張可能構造の一部として形成することができる。例えば、電極は、多くの場合ストラットの長さの中心近くに配置されている、関連するストラットの局在的拡張を含むことができる。膨張可能な構造は、Ｎｉｔｉｎｏｌ（商標）を含み、Ｎｉｔｉｎｏｌストラットの残りの構造は、絶縁できる。例えば、その表面を高温ポリマー（ポリイミドなど）でコーティングすることができる。代替として、ポリウレタンなどの他のコーティングを使用することもできる。ストラットは、互いに電気的に絶縁することができ、それにより、それぞれのストラットを使用して、ストラットから近位側に延びている導線からストラットに関連する電極面にエネルギーを導き、それぞれの電極面を独立にコントローラに結合することができる。
【００１７】
遠位膜を電極から遠い位置にある血管内に配備し、破片の遠位端移動を抑制することができる。近位膜を電極から近い位置に配備し、破片の近位移動を抑制することができる。膜は、例えば、粥状硬化物質の切除時に、血液と再造形プロセスとの相互作用を抑制することができる。他の実施態様では、エネルギー送出面に供給される電力は、例えば、粥状硬化物質を変性させる、動脈の粥状硬化物質内側層を溶融させる、動脈の粥状硬化物質内側層を収縮させる（治療時および／または組織治癒応答において）、などにより、破片発生を抑制するように制限することができる。いくつかの実施形態では、遠位膜は、放射状に膨張するようにバスケットの遠位部分により支えることができる。近位膜は、放射状に膨張するようにバスケットの近位部分により支えることができる。近位膜および遠位膜のうちの少なくとも１つは、バスケットから軸方向にオフセットされた内腔を含むことができる。
【００１８】
いくつかの実施態様は、単一の単極電極または２つ以上の単極または双極電極を持つことができるが、これらの電極は、多くの場合６つ以上の電極を備える軸を中心に周辺に分配された少なくとも３つの交互に選択可能な電極の配列を備えることができる。コントローラは、電源を電極配列に結合し、検出された粥状硬化物質に応答して電極配列のその偏倚性サブセットに選択的に電力を供給するようにできる。コントローラは、ＲＦエネルギーおよび／またはマイクロ波エネルギーを当てることによりエネルギー指向面のサブセットに選択的に電力を供給することができる。粥状硬化物質検出器は、超音波振動子または光干渉反射率計を備えることができる。カテーテルの内腔内に挿入可能なスタンドアロンの構造とともに、これらの検出器は、カテーテル構造内に一体化することもできる。ディスプレイを粥状硬化物質検出器に結合し、カテーテル軸を中心として分配される周辺粥状硬化物質厚さの画像を示すことができる。
【００１９】
他の態様では、本発明は、患者の血管の粥状硬化物質の偏倚性再造形および／または除去のためのカテーテル・システムを実現する。このシステムは、間に軸を置く近位端と遠位端を持つ細長く曲げやすいカテーテル本体を備える。放射状に膨張可能な構造は、カテーテル本体の遠位端近くに配置される。膨張可能構造が膨張したときに複数の電極が粥状硬化物質に対し放射状に押し付けられるように向けられる。粥状硬化物質検出器または撮像センサは、粥状硬化物質の周辺の識別と測定のためカテーテル本体の遠位端近くに配置される。電源は、電極に電気的に結合される。電源は、電極に電力を供給し、測定された粥状硬化物質を偏倚性的に除去および／または切除を行う。
【００２０】
カテーテル本体は、多くの場合、近位端と遠位端との間に延びる内腔を持つ。内腔は、例えば、カテーテル本体の近位端にある内腔と流体により連絡する吸引源を使用して吸引内腔として使用することができる。近位端と遠位端の切除破片バリヤは、それぞれ、電極の近位と遠位に配置することができ、吸引ポートは、粥状硬化物質切除時に切除破片を除去するため近位バリヤと遠位バリヤとの間に配置することができる。粥状硬化物質検出器は、血管内超音波法カテーテルの超音波振動子を備えることができ、血管内超音波法カテーテルは内腔内に配置される。それとは別に、血管内光干渉断層撮影法を含む他の撮像モダリティを採用することもできる。撮像または粥状硬化物質検出機能は、さらに、いくつかの実施形態のカテーテル本体に組み込むこともでき、周辺粥状硬化厚さが測定されることが多い。洗浄内腔は、カテーテル本体の近位端とカテーテル本体の遠位端との間に延ばし、電極に隣接する強化された局所的切除環境を使いやすくすることができる。再狭窄抑制薬を内腔内に進行させることができ、再狭窄抑制剤はオプションにより血管内放射線カテーテル、再狭窄抑制薬物などを含む。
【００２１】
放射状に膨張可能な本体は、複数の曲げやすい膜またはストラットを備えることができ、電極はオプションにより周辺電極配列を形成する。ストラットは、膨張可能バスケットを形成するように間に切り目または開口を持つことができる。電極の配列をバスケットの中間部分に沿って支え、バスケットが血管内で膨張したときに隣接する粥状硬化物質と係合するよう放射状に向き付けることができる。バスケット内側と流体により連絡する吸引ポートは、切除破片および組織蒸発ガスの除去を容易にすることができ、また血管内への切除副産物の放出を抑制することができ、バスケット内を流れる流体は、組織の付随する被害を限定する冷却流体として機能することができる。電極の遠位にある血管内に配備可能な遠位膜またはバリヤは、切除破片の遠位移動を抑制することができるが、近位膜または電極の近位に配備可能な膜は、切除破片の近位移動を抑制できる。このような（複数の）膜は、さらに、局在再造形および／または切除環境内の血流を低減または抑制することもできる。遠位膜は、放射状に膨張するようにバスケットの遠位部分により支えられ、および／または近位膜は、放射状に膨張するようにバスケットの近位部分により支えられるようにできる。例えば、好適な膜としては、血管内のバスケットから軸方向にオフセットされた１つまたは複数のバルーン、またはシリコーン、ポリウレタン、ＰＴＦＥ、または他の弾性物質に浸けられたＮｉｔｉｎｏｌ（商標）などの編み上げ超弾性物質がある。いくつかの実施態様では、膜は、バスケット内に少なくとも一部一体化できる。
【００２２】
電極は、多くの場合、少なくとも３つの電極からなる配列を含み、カテーテル本体の軸を中心に周辺に分配された交互に選択可能な少なくとも６つの電極を含むことが多い。電極の配列は、軸対称とすることができ、偏倚性治療配向は、配列の電極を選択的にペアリングすることにより物理的に配列を回転することなく選択される。コントローラは、電源を電極配列に結合し、測定された粥状硬化物質に応答して電極配列の偏倚性サブセットに選択的に電力を供給する。例示的な電極は、銅線にハンダ付けされたステンレスを含むことができ、銅線は関連する膨張可能バスケット要素の支持要素から絶縁される。他の電極は、プラチナを含むことができる（これにより、電極は放射線不透過性マーカーとしても使用できる）。例えば、電極／バスケット・アセンブリをポリイミドなどの高温ポリマーでコーティングすることができる。例示的な電極配列は、交互に並んだ軸方向にオフセットされた電極を含み、コントローラは、電極の通電されたサブセットのペア間にＲＦ双極性電力を送ることが多く、これらのペアはオプションにより周辺でオフセットされた電極を含むか、軸方向に揃えられた電極に隣接するか、または軸方向でおよび周辺でオフセットされた電極間で交互する。いくつかの実施形態では、単極エネルギーを選択された電極に向け、回路を患者の接地により完了することができる。より一般的には、それぞれの電極は、通常、電極面をコントローラに電気的に結合するために電極から近位側に延びている関連する導線とともにポリマーにより膨張可能構造の隣接するストラットに貼り付けられた金属体を含む。
【００２３】
例示的な粥状硬化物質検出器は、血管内超音波法カテーテルの超音波振動子、血管内光干渉断層撮影カテーテルのセンサなどを含む。ディスプレイは、カテーテルの軸を中心に周辺強膜物質厚さの画像を示すために用意することができ、このディスプレイおよび／または撮像カテーテルの信号はオプションにより測定に対する選択された電極を回転登録する向きの指示を含む。好適な指示は、少なくとも１つの膨張可能部材またはマーカーの「鍵」または区別可能な画像を含むことができる。
【００２４】
他の態様では、本発明は、患者の血管から粥状硬化物質を除去するためのカテーテルを提供する。カテーテルは、間に軸方向吸引内腔がある近位端と遠位端を持つ細長く曲げやすいカテーテル本体を備える。カテーテル本体の遠位端近くにある放射状膨張可能バスケットは、中間部分が間に配置される近位部分と遠位部分を持つ。周辺電極配列は、放射状膨張可能バスケットの中間部分を中心として分配され、バスケットが血管内で膨張したときに隣接する粥状硬化物質の切除を行う。吸引ポートは、吸引内腔とバスケットの内部との間を流体で連絡させる。バスケットの遠位部分により支えられる遠位膜は、バスケットが血管内で膨張したときに切除破片の遠位移動を抑制する。バスケットの近位部分により支えられる近位膜は、バスケットが血管内で膨張したときに切除破片の近位移動を抑制する。
【００２５】
第１の方法態様では、本発明は、患者の血管の偏倚性粥状硬化物質の再造形のための方法を提供する。本方法は、粥状硬化物質に隣接する血管内にカテーテルの作業端の位置を決めすることを含む。カテーテルが軸を定める。カテーテルは、カテーテルの少なくとも１つのエネルギー送出面を粥状硬化物質に対し係合させるために放射状に膨張させられる。カテーテルの軸を中心とする粥状硬化物質の周辺分布が決定される。電気外科的エネルギーは、決定された粥状硬化物質分配に応答してカテーテルの軸に対して少なくとも１つのエネルギー送出面から偏倚性的に方向が決められる。
【００２６】
粥状硬化物質の再造形は、粥状硬化物質の切除、除去、収縮、溶融、変性などを含むことができる。例えば、比較的低電力のＲＦエネルギーを使用して、粥状硬化物質を溶けるまで加熱し、オプションにより、その物質を動脈壁に沿って、血管の層の内側に、といったように再分配できる。オプションにより、粥状硬化物質は、脆いプラークを含むことができる。ＲＦエネルギーを使用して脆いプラークのキャップと下にある脂質の多いプールを約５０から約６０℃までの範囲の温度に穏やかに熱することにより、脆いプラーク（および／または脆いプラークが問題となる血管）を処理することができる。これは、多くの場合、加熱に対する免疫反応として、キャップの厚みを作るために実行できる。このような厚みがあると、潜在的に、再狭窄が生じる可能性があり、キャップの厚みおよび／または再狭窄は、ＲＦエネルギーの正確な制御、再狭窄防止薬（Ｒａｐａｍｙｃｉｎ（商標）など）の使用により限定することができる。脆いプラークの安定化に加えて、本発明を使用すれば、オプションにより脂質の多いプールを少なくとも約９０℃の温度に加熱することにより脆いプラークを排除することができる。好ましくは、血管の加熱は、血管の外膜または外層の温度を約６３℃未満に制限しコラーゲン収縮および血管潰れを抑制するために実行される。対照的に、穏やかなＲＦエネルギーを粥状硬化物質に印加して、この物質を変性させ、その結果、治療中、または治療後にこの物質が収縮するようにできる。粥状硬化物質の収縮により、血管内腔が大きく開き、血流が改善されうる。
【００２７】
粥状硬化プラークの再造形が粥状硬化物質の切除を含む場合、発生した血栓溶解性破片は、抑制および／または排出することができる。切除で非血栓溶解性破片が生じた場合、または再造形が実行され破片発生が抑制される場合、破片抑制および排出は不要なことがある。
【００２８】
１つまたは複数のエネルギー送出面により向けられる電気外科的エネルギーは、ＲＦおよび／またはマイクロ波電気エネルギーを含むことが多い。粥状硬化物質の周辺分布は、血管内または非侵襲的技術を使用して決定することができる。電気外科的エネルギーは、電極のサブセットに通電することによりカテーテル軸を中心にエネルギー送出面を回転することなく偏倚性的に向けることができる。電極のサブセットは、決定された粥状硬化物質分配への応答として選択することができる。選択された電極は、例えば、区別可能な画像を持つ膨張可能バスケットの１つまたは複数の構造を参照しつつ、粥状硬化物質分配に回転登録されることができる。例えば、電極１と任意に識別された電極のストラットは、１つの放射線不透過性マーカーまたは他の区別可能な画像を持つことができ、電極２と参照されている電極のストラットは、２つの放射線不透過性マーカーまたは２つの区別可能な画像特徴を持つことができる。これは、電極１が識別可能であり、電極１から電極２への方向は周辺電極カウント方向を示しているため、すべての電極を識別するのに役立ちうる。一体化された、または別々の周辺電極カウント配向インジケータを持つさまざまな代替の区別可能な特徴も利用できる。いくつかの実施形態では、登録は、電子信号を参照しつつ自動的に実行することができる。
【００２９】
さらに他の態様では、本発明は、患者の血管から偏倚性粥状硬化物質を除去するための方法を提供する。本方法は、血管内で、粥状硬化物質に隣接するカテーテルの作業端の位置を決めることを含む。カテーテルは軸を定める。カテーテルは、カテーテルの複数の電極を粥状硬化物質に対し係合させるために放射状に膨張される。粥状硬化物質の周辺分布は、カテーテルの軸を中心として測定される。ＲＦエネルギーは、決定された粥状硬化物質分配に応答してカテーテルの軸に関して偏倚性的に電極から方向が決められる。
【発明を実施するための最良の形態】
【００３０】
本発明は、動脈内腔を拡げ、血流を高めるために、部分的に閉塞した動脈を再造形する機器、システム、方法を実現する。再造形では、通常、ＲＦおよび／またはマイクロ波電位の形の電気外科的エネルギーを電極、アンテナなどのエネルギー送出面に印加することを含む。このエネルギーは、ターゲットおよび／または側副路組織の温度を制限する、例えば、脆いプラークの線維性被膜または動脈構造の内膜層の加熱を約５０から約６０℃までの範囲内の最大構造に制限するように制御されることが多いが、そのために、血管の外層または外膜の最大温度を約６３℃以内に制限し、脂質プールの溶解を十分誘起できるように脆いプラークの脂質の多いプールの加熱を制限し、その一方で、他の組織（内膜層または繊維性被膜など）の加熱を約５０から約６０℃の範囲の温度以下に抑制し、他の方法では再狭窄などが生じるおそれのある免疫反応を抑制する。比較的穏やかな加熱エネルギーを使用するだけで、血管内腔を広げ、血流を改善するために、治療に対する組織の治癒反応を通じて、治療時、治療直後、および／または治療後１時間以上たってから、１日以上たってから、１週間以上たってから、またはさらには１ヶ月以上たってから粥状硬化物質の変性と収縮を十分行える。
【００３１】
いくつかの実施形態では、粥状硬化性プラークの再造形は、人体内腔内から閉塞物質の切除を行い除去する、特に血管から粥状硬化物質を除去し血流を改善するためにより高いエネルギーを使用することを含む。そのような切除により切除破片が発生する可能性があり、その切除破片は血栓溶解性または非血栓溶解性である。血栓溶解性破片が切除により発生する場合、その破片は、抑制、捕捉、および／または治療部位から排出させることができる。切除により生じた非血栓溶解性破片は、抑制および／または血管からの排出を行わなくてもよい場合がある。本発明の技術は、多くの場合、粥腫および／または血管壁を測定するのに好適な電気外科的機能、感知または撮像、および／または塞栓抑制剤を実現する。粥状硬化は、時間の５０％、場合によっては、事例の７５％程度（さらにはそれ以上）にわたって血管の軸に関して偏倚性的である場合があるため、本発明の機器や方法は、多くの場合周辺粥状硬化物質検出または撮像への応答として、治療を偏倚性的に進めるのに特に適することが多い。本明細書で説明されている方法や機器では、そのような偏倚性治療が可能であるが、カテーテルなどの軸を中心に放射状に対称的なパターンでエネルギーを選択的に誘導することにより、これらの機器を放射状対称的粥状硬化の治療に使用することもできる。
【００３２】
したがって、粥状硬化物質の再造形は、粥状硬化性プラークや他のプラークの切除、除去、収縮、溶融などを含むことができる。オプションにより、動脈の層内の粥状硬化物質を血流が改善されるように変性させ、破片が必ずしも生じることのないようにする。同様に、動脈層内の粥状硬化物質を溶融できるか、および／または治療は、ここでもまた必ずしも治療破片を発生することなく、動脈層内の粥状硬化物質を収縮することを伴うことがある。本発明は、さらに、脆いプラークまたは脆いプラークが問題となっている血管の治療に関して特に利点を持つ。このような脆いプラークは、偏倚性病変を含み、本発明は、脆いプラーク構造の向き（軸配置とともに）を識別するのに特に好適であると思われる。本発明には、穏やかな加熱（キャップの厚みを引き起こし、プラークの破裂に対する脆さを低減する）および／または脆いプラークの脂質の多いプールの加熱（脂質の多いプールの再造形、変性、溶融、収縮、および／または再分配のため）に関してキャップ構造をターゲットとする用途もある。
【００３３】
本発明は、ステンティングおよび／またはバルーン膨張と併用することができるが、本発明は、ステンティングやバルーン血管形成が実行可能なオプションでない血管開径の拡大に特に好適である。潜在的用途としては、粥状硬化が一領域内に局在するのではなく動脈の有意な長さに沿って広がる、びまん性疾患の治療がある。本発明は、さらに、脆いプラークまたは脆いプラークが問題となっている血管の治療でも有用な場合があるが、そのために、選択された偏倚性および／または軸方向治療が脆いプラークから隔てられている脆いプラークの治療を潜在的に識別し、回避し、血管内腔内の制御された環境ゾーンまたは領域内で脆いプラークのキャップと脂質の多いプールを意図的に切除し、吸引する。本発明では、さらに、多数の血管の鋭い曲がりの中にステントを進める、または膨張させる必要はないので、蛇行する鋭く曲がっている血管の治療に利用すると有益である。さらに他の有益な用途としては、分岐にそった（側枝の閉塞が問題になる場合）、また脚、足、腕（潰れおよび／またはステント破砕障害が問題になりそうな場合）などの周辺先端部内の治療を含む。
【００３４】
びまん性疾患や脆いプラークは、それぞれ図１Ａ、１Ｂに例示されている。図１Ｃは、血管蛇行を例示している。図１Ｄは、分岐点での粥状硬化物質を例示し、図１Ｅは、先端の粥状硬化性疾患から生じうる病変を例示している。
【００３５】
図１Ｆは、腐食および／または疲労から生じうるステント構造部材の破砕を例示している。ステントは、例えば、１０年間埋め込んでおけるように設計されている場合がある。ステント受容者の母集団が長生きするほど、それらのステントのうち少なくとも一部は設計耐用年数よりも何倍も長く埋め込まれている可能性が高くなる。腐食性の人体環境内にある金属と同様、材料劣化が生じうる。金属が腐食で弱くなると、ステントは破砕する可能性がある。金属ステントが腐食すると、さらに、異物反応と副産物が発生して、隣接体内組織を刺激する可能性がある。このような瘢痕組織が生じると、例えば、最終的に、動脈の再閉鎖または再狭窄を生じる場合がある。
【００３６】
動脈開放および再狭窄は、図１Ｇから１Ｉを参照すると理解できるであろう。動脈は、内皮層、中皮層、外膜層の３層を含む。血管形成時に、内側層は、壁から部分的に、薄層に裂けるか、または分離し、図１Ｇに例示されているように解離が形成される。このような解離は、血流を迂回し、血流を妨げる可能性がある。図１Ｈおよび１Ｉを比較すると理解できるように、血管形成術は、比較的強引な手術であり、血管の組織を痛めるおそれがある。この損傷に応答して、ステントの存在に応答して、および／または元の粥状硬化性疾患の連続的進行において、図１Ｉに例示されているように、開放された動脈は再狭窄するか、またはその後、径が縮小しうる。薬剤溶出ステントは再狭窄を低減することが示されているが、これらの新しい構造を移植してから数年後の効き目は、完全には研究されておらず、このような薬剤溶出ステントは、多くの血管内で適用可能ではない。
【００３７】
一般に、本発明は、医者による使用が比較的迅速で容易であるカテーテルを実現する。本発明のカテーテル・システムでは、動脈を、公称または固有の動脈直径の少なくとも８５％まで開くことができる。いくつかの実施形態では、動脈は、約８５％まで開くことができ、および／または重傷の開口は、８５％未満とすることができる。迅速な閉塞物質除去は、十分な電力を使って組織を局所的に約１００℃超にまで加熱して組織を蒸発させることで行うか、またはより穏やかな再造形を使用する。
【００３８】
望む拡げる径が、いくつかの実施形態では、カテーテル・システムによる治療直後に得られる。それとは別に、より穏やかな切除を実施し、例えば、治療が完了したときに５０％以下の固有直径にすることができるが、それでも、不整脈や経尿道的前立腺（ＴＵＲＰ）治療に対する残された心室切除に似た方法による損傷した内腔組織の再吸収により、その後の治癒過程が完了した後、８０％程度またはさらには８５％以上の固有の血管開放直径にすることができる。このような実施形態では、少なくとも一部の閉塞組織を約５５℃から約８０℃までの範囲の温度まで加熱することができる。いくつかの実施形態では、閉塞組織は、約９３から９５℃までの範囲の最大温度に加熱することができる。本明細書で説明されている他の実施形態では、加熱は、約５０から６０℃までの範囲の組織温度となるように制御することができ、いくつかの実施形態では約６３℃の最大組織温度を利用する。さらに他の治療では、約９０℃の治療温度を利用することができる。都合のよいことに、本発明のカテーテル・システムおよび方法は、バルーン血管形成なしで使用することができ、それにより、解離を回避し、場合によっては再狭窄を制限することができる。
【００３９】
例示的なカテーテル・システム１０は、図２と２Ａに概略が例示されている。再造形および／または切除カテーテル１２は、近位端１６および遠位端１８を持つカテーテル本体１４を含む。カテーテル本体１４は、曲げやすく、カテーテル軸２０を有し、吸引内腔２２と洗浄内腔２４を備える（図３を参照）。さらに他の内腔を、以下で説明されているようにガイドワイヤ、撮像システムなどのために用意することができる。内腔２２は、粥腫の感知および／または撮像とともに吸引に使用することができる。
【００４０】
カテーテル１２は、遠位端１８に隣接する放射状膨張可能構造２６を備え、近位端１６に隣接するハウジング２８を備える。遠位先端３０は、吸引内腔２２を密閉し、ガイドワイヤ、撮像、および／または再狭窄抑制カテーテルなどを通すための一体型先端弁を備えることができる。
【００４１】
近位ハウジング２８は、吸引内腔２２と流体で連絡する第１のコネクタ３２を備える。吸引内腔２２は、膨張可能構造２６内に吸引ポートを備え、膨張可能構造内から破片およびガスの吸引を行うことができる。吸引内腔２２は、さらに、ガイドワイヤ、血管内撮像カテーテル、および／または遠位進行血管内放射線治療カテーテルまたは再狭窄抑制薬剤用のアクセス内腔として使用することもできる。したがって、コネクタ３２は、遠位端１８に隣接する、および／または超えるカテーテル本体１４内で進行可能な粥状硬化物質検出器３６を備える撮像カテーテル３４を選択的に収納することができ、検出器は血管内超音波振動子、血管内光干渉断層撮影センサ、ＭＲＩアンテナなどを備えることが多い。撮像カテーテル３４の撮像コネクタ３８は、軸２０を中心として粥状硬化厚さの周辺測定を行えるようにする撮像信号をディスプレイ３９に送信する。
【００４２】
コネクタ３２は、さらに、再狭窄抑制治療カテーテル４０を収納し、この治療カテーテルはここでは血管内放射線カテーテルを備える。このような放射線カテーテルは、カテーテル本体１４内で遠位となるように膨張可能構造２６へ、またはそれを越えて再び進めることができる放射線源４２を備えることができる。
【００４３】
近位ハウジング２８の第２のコネクタ４４は、洗浄内腔２４と流体で連絡している（図３を参照）。第２のコネクタ４４は、導電性または非導電性液体、気体などの導入、理想的にはガスまたはヘパリン添加生理食塩水の導入のための洗浄液体源に結合することができる。第１と第２の両方のコネクタ３２、４４は、オプションにより、Ｌｕｅｒ−Ｌｏｃ（商標）コネクタなどの標準コネクタを含むことができる。図２Ａは、コネクタ４４が吸引真空源／注入流体源４５に結合されていることを示す概略図である。
【００４４】
次に図２、２Ａ、３を参照すると、近位ハウジング２８は、さらに、電気的コネクタ４６を収納している。コネクタ４６は、複数の電気的接続部を備え、それぞれ専用の導線５２を介して電極５０に電気的に結合される。これにより、電極５０のサブセットに容易に通電することができ、電極は双極または単極ＲＦエネルギーで通電されることが多い。したがって、電気的コネクタ４６は、コントローラ４７を介してＲＦ発生器に結合されることが多く、コントローラにより、エネルギーを係合する内腔壁の偏倚性部分に選択的に送ることができる。単極ＲＦエネルギーが採用される場合、患者接地は、（例えば）、外部電極またはカテーテル本体１４上の電極により行うことができる。プロセッサ４９は、撮像カテーテル３４からの信号を操作し、ディスプレイ３９上に画像を生成することができ、吸引、洗浄、および／または治療を調整することができ、治療を自動的に画像に登録することができる。
【００４５】
膨張可能構造２６は、図３にさらに詳しく例示されている。膨張可能構造２６は、抑制シース内から放出されたときに弾力的に膨張できるか、または先端３０を遠位端１８に向けて引っ張り（図２を参照）、オプションによりプルワイヤ、内部カテーテル本体５８などを使用して、弾力的に膨張させることができる。膨張可能構造２６は、ここでは、間にある開口または切り目５６とともに一連の構造ストラットまたは要素５４を持つ穴あき構造またはバスケットを含む。切り目５６は、例えば、曲げやすい管材料で細長いスリットを切り出すことにより形成することができるか、またはバスケットは、細長いワイヤまたはリボンなどを編み上げることにより形成できる。
【００４６】
膨張可能構造２６は、一般に、近位部分６０、遠位部分６２、および間にある中間部分６４を含む。それぞれの電極５０は、中間部分６４に沿って関連するバスケット要素５４上に取り付けられ、関連する導線５２は電極から近くに延びる。電極５０は、配列内で軸２０を中心として周辺に分散され、隣接する電極は軸方向オフセットされるのが好ましく、また近位軸方向位置と遠位軸方向位置との間で千鳥配置または交互に並ぶのが理想的である。これにより、双極エネルギーは、隣接する周辺（軸方向にオフセット）電極の間、隣接する遠位電極の間、隣接する近位電極の間などに向けることができる。
【００４７】
例示的な実施形態では、近位６６および遠位バリヤ６８は、膨張可能構造２６の近位部分６０および遠位部分６２とともに放射状に膨張する。バリヤ６６、６８は、電極５０の隣で発生する切除破片やガスがカテーテル１２を超えて本体内腔内で進行するのを抑制する。バリヤ６６、６８はでは、さらに、例えば、血管内の血液を電極などの炭化を制限するより有利な流体環境で置き換えることにより、人体内腔内に少なくとも部分的に隔離された切除環境を確立することもできる。図１１〜１３などに示されているように、膨張可能部材２６、伸縮性のリップから軸方向にオフセットされた１つまたは複数のバルーンを含む、バリヤ６６、６８の代わりの（またはそれと組み合わせた）代替バリヤを用意することができる。他の実施形態では、著しい熱分解性切除破片を発生することなく再造形を実施することができ、および／またはいくつかのシステムがバリヤの使用に先立つように局部的洗浄および／または吸引流れのある所望の治療環境を用意できる。
【００４８】
次に図４および６Ａを参照すると、代替実施形態では、異なるバスケットの形で異なる膨張可能構造を使用することができる。図４では、編み上げバスケット７０は、編み上げ構造７２上に取り付けられた電極５０を含む。いくつかの実施形態では電極の電気的遮蔽に注意して編み上げ金属構造物が使用される場合があるが、交差する編み上げ構造物のショートが問題になることがある。したがって、編み上げ部材７２は、高温ポリマーまたはポリイミドなどの非導電性材料を含むことができる。細長い電極バスケット７６は、例えば、バスケット部材７８の中心部分に沿って金属面を選択的に露わにすることにより形成される電極５０を含むことができるが、バスケット要素の残りは、電極に電力を供給するための導線としてバスケット・ストラットを使用できるように高温ポリマーなどを使用して電気的に遮蔽される。バスケット７６の放射状膨張は、さらに、本体１４に関して内側カテーテル本体５８の移動７１により示されている。膨張は、さらに、バスケット上からスリーブを引き出す、あるいはプルワイヤを引き出すなどにより行うこともできる。撮像カテーテル３４の血管内超音波画像センサ３６は、図５において、膨張可能構造７６の遠位にあるとして例示されており、わかりやすくするため撮像カテーテルの近位部分は取り除かれている。電極の配列がバルーンを中心として周辺に取り付けられているシステムを含む、さらに他の代替膨張可能構造を採用し、切除領域内の血液汚染を低減することができる。それとは別に、オプションの吸引ポートは再び、そのような近位バリヤと遠位バリヤの間に配置され、軸方向にオフセットされたバルーンにより膨張可能部材の近位および／または遠位にあるバリヤとともに制御された切除環境を維持することができる。
【００４９】
例示的な膨張可能構造２６は、ニッケル・チタンアロイまたはＮｉｔｉｎｏｌ（商標）管などの超弾性アロイ管内に溝を切ることにより形成される。図６Ｂを参照すると理解できるであろうが、膨張可能構造５４は、電極および／または電極取り付け位置８２に隣接して強化される周辺幅８０を備えることができる。図６Ａに示されているように、電極取り付けパッド８２に隣接する幅８０の局部的機能強化は、上述のように軸方向にオフセットさせることができる。膨張可能部材５４を形成する溝、したがって、膨張可能部材自体は、例えば、長さを０．８インチとすることができ、膨張可能部材の周辺幅は約０．２５インチである。
【００５０】
次に、図７Ａおよび７Ｂを参照すると、そこには縮小可能コーンの形の膨張可能バリヤの側面図および端面図が示されている。バリヤ６６は、ここでは、例えば、Ｎｉｔｉｎｏｌ（商標）ブレイドなどの超弾性アロイのブレイドを液体シリコーンに浸けて、硬化させることにより、シリコーンでコーティングされた編み上げＮｉｔｉｎｏｌ（商標）ワイヤ８４を含む。その後、このようなコーンを膨張可能構造の近位部分および遠位部分の上に取り付けることができる。上記のように、さまざまな代替バリヤ膜を使用できる。図７Ｃは、一体型バリヤ７７がバスケット上に直接コーティングされたバスケット７５を例示している。バリヤ７７は、引き裂きに極めて強い、ポリウレタンを含む。代替バリヤ膜は、ＰＴＦＥなどの他の材料を含むことができる。
【００５１】
次に、図８、９を参照すると、ポリイミド・アロイ膨張可能部材５４により支えられる例示的な電極５０は、高温ポリマーでコーティングすることができる。導線５２は、上述のように電極５０から近位に延びる。金、白金、白金／イリジウムアロイなどの高コントラスト放射線不透過性マーカーをそれらのストラットに、またはその近くに取り付けることができる。マーカーは、さらに、電極として使用することも可能である。
【００５２】
血管内からの偏倚性粥腫の再造形および／または除去を行うカテーテル・システム１０は、図１０Ａから１０Ｅを参照しつつ理解することができる。図１０Ａに示されているように、治療部位のアクセスは、粥状硬化物質ＡＭのターゲット領域で、またさらに多くの場合には、ターゲット領域を超えて遠位で、血管Ｖ内にガイドワイヤＧＷを進めることを伴うことが多い。さまざまなガイドワイヤを使用することができる。完全閉塞のある血管にアクセスするために、ガイドワイヤＧＷは、前方監視光干渉反射率計とＲＦ切除を用意するＳａｆｅ−Ｃｒｏｓｓ（商標）ＲＦ  システム・ガイドワイヤを含む、このような完全閉塞を交差するのに適している市販のガイドワイヤを備えることができる。粥状硬化物質ＡＭが内腔の完全閉塞を引き起こさない場合、そのような機能をガイドワイヤＧＷ内に用意する必要はないが、他の有利な特徴を備えることができる。例えば、ガイドワイヤＧＷは、ガイドワイヤを適所に保持し、さらに切除破片などの移動を抑制する遠位バルーンを含むことができる。ガイドワイヤＧＷは、蛍光透視鏡の、蛍光透視（または他の）撮像法の下で配置することができる。
【００５３】
カテーテル１２は、図１０Ａおよび１０Ｂを参照すると理解できるように、ガイドワイヤＧＷ上で遠位に進められ、多くの場合閉塞の遠位部分に向けて、粥状硬化物質ＡＭの隣に配置される。膨張可能構造２６は、血管の内腔内で放射状に膨張し、電極５０は粥状硬化物質ＡＭと放射状に係合する。膨張可能構造２６は、例えば、カテーテル本体１４を通り（直接または間接的に）結合部位に進み膨張可能本体２６の遠位部分６２にまで延びているプルワイヤを引くことにより膨張させることができる（図３を参照）。それとは別に、内側カテーテル本体５８を外側カテーテル本体１４に対して近位に移動させることができ、その際に内側カテーテルは再び膨張可能本体の遠位部分に結合される。膨張可能本体の周りからシースを引き抜いて膨張可能本体を外に向かって放射状に曲がるようにすることを含む、さらに他の代替方法も可能である。少なくともいくつかの実施形態では、カテーテル１２の近位端から作動させられるか、または単純に膨張可能本体をリリースすることにより作動させるかに関係なく、膨張可能本体を定める構造部材は、超弾性Ｎｉｔｉｎｏｌ（商標）金属、ポリイミドなどをヒート・セットすることなどにより、外に向かって放射状に膨張するように処理された弾性または超弾性材料を含むことができる。いくつかの実施形態では、ガイドワイヤＧＷは、切除カテーテルが位置決めされ、および／またはバスケットが膨張された後に取り除くことができる。図１０Ｂおよび１０Ｃを参照しつつ理解できるように、粥状硬化物質ＡＭがカテーテル１２を中心に偏倚性的に分配されるときに、電極５０のいくつかは内腔壁Ｗに直接係合する。
【００５４】
撮像カテーテル３４が、検出器４２が隣接する粥状硬化物質ＡＭにまで及ぶようにカテーテル１２の内腔内に配置される。撮像カテーテルは、カテーテル１２内で、および／またはカテーテル１２を通して動作し、図１０Ｃに例示されているようにカテーテル１２を中心として同心円状に粥状硬化物質の厚さを測定し、測定は複数の軸方向配置で行われ、それにより血管内の粥状硬化物質ＡＭの軸方向の変動を測定することが多く、そのような測定は近くで進行することが多い。多くの場合、粥状硬化物質ＡＭは、図１０Ｃに示されているように、血管壁内に偏倚性的に分配される。血管の一部または側面に沿った粥腫の比較的薄い層は、血管Ｖの反対側の粥状硬化物質の非常に薄い層と比べて厚さがかなり異なる場合があるので、血管壁のどの部分も、閉塞が偏倚性的であることを示す測定分配について粥状硬化物質により完全に暴露されている必要はないことに留意されたい。いくつかの方法では、片側に沿ってすべての粥腫の再造形および／または切除が行われると、治療が開始した後でないと電極／血管壁の係合が生じえない。
【００５５】
場合によって、撮像カテーテル３４では、血管内から粥状硬化物質、プラーク、組織、病変などの識別および／または特徴付けを行うことができる。例えば、撮像カテーテル３４は、治療に対するターゲット・プラークの軸方向および／または周辺局在化を決定することができる。治療が内腔を通じて血流を高めるために粥状硬化性プラークを対象としている場合、内腔直径と血流の短期的および／または長期的増大が達成されるように治療を手直しすることができる。カテーテル３４が周辺および／または軸方向に局在化された脆いプラークを識別する場合、その脆いプラークは、多くの場合、脆いプラークの繊維性被膜を厚くし、プラークの破砕に対する脆さを低減し、脆いプラークの脂質の多いプールから放出する規模または危険性を低減するなどにより、塞栓物質の有害な放出を抑制する適切な治療のターゲットとすることができる。したがって、カテーテル３４を使用することで、組織学を通じて利用可能な情報と類似の情報を提供し、粥腫の組成を示すことができる（例えば、繊維性被膜、平滑筋細胞、脂質プール、石灰化などを識別し、特定することにより）。現在、血管内超音波法カテーテルは、粥腫の特徴付けを行うことができ、これらの特徴付けは、さらに、血管内光干渉断層撮影カテーテル、血管内ＭＲＩアンテナ、その他のカテーテル・ベースの撮像システムにより、またはＭＲＩシステムなどの非侵襲的撮像モダリティなどにより、行うこともできる。
【００５６】
本発明のカテーテル・システムで使用するのに好適な撮像カテーテルは、さまざまなメーカーから市販されている。好適な技術および／またはカテーテルとしては、例えば、ＳｃｉＭｅｄ  Ｌｉｆｅ  Ｓｙｓｔｅｍｓ  ａｎｄ  Ｊｏｍｅｄ−Ｖｏｌｃａｎｏ  Ｔｈｅｒａｐｅｕｔｉｃｓ（血管内超音波法カテーテルの供給者）、Ｌｉｇｈｔ  Ｌａｂ  Ｉｍａｇｉｎｇ（血管内撮像用の光干渉断層撮影カテーテルを開発し商品化している）、Ｍｅｄｔｒｏｎｉｃ  ＣａｒｄｉｏＲｈｙｔｈｍなどから市販されている。超高速磁気共鳴撮像法（ＭＲＩ）、電気インピーダンス粥腫深さ測定、さらに光干渉反射率計測などを含む、他の代替技術を使用することもできる。
【００５７】
本明細書で説明されているシステム、機器、方法では、オプションにより、少なくとも一部は（オプションにより全体が）人体内腔の外側に配置され、オプションにより、患者身体の外側に配置される、撮像技術および／または粥状硬化物質検出器機器を使用することができる。採用できる非侵襲的撮像モダリティは、Ｘ線または蛍光透視診断システム、ＭＲＩシステム、外部超音波振動子などを含む。オプションにより、外部および／または血管内粥状硬化物質検出器は、さらに、温度情報を供給するためにも使用することができる。例えば、ＭＲＩアンテナを備えるシステムは、治療貫通のグラフィック表示がシステム・ディスプレイ上に提示することができるように組織温度を検出することができる。組織温度情報は、さらに、超音波および／または光干渉断層撮影システムから利用することもでき、この温度情報は、治療対象の組織を選択する（例えば、高温または脆いプラークを識別することにより）などのため進行中の治療を指示するためのフィードバックとして使用することができる。
【００５８】
ガイドワイヤＧＷの位置決めとカテーテル１２の進行と同様に、撮像カテーテル３４のセンサ３０の位置決めは、蛍光透視診断法または他の撮像モダリティにより容易に行えるようにできる。膨張可能構造２６に対するセンサ３６の配置は、センサ３６に隣接するカテーテル３４の放射線不透過性マーカーにより、および放射線不透過性構造（またはその上に、またはその近くに置かれた対応する放射線不透過性マーカー）、膨張可能構造２６により、および／または放射線不透過性電極を使用することにより、容易に行える。
【００５９】
血管Ｖ内の膨張可能構造２６を膨張させることにより、オプションの近位バリヤ６６と遠位バリヤ６８（図３参照）は、血管内に少なくとも一部は、また好ましくは実質的に遮蔽された環境を形成することができる。その環境は、上述のように、近位バリヤ６６と遠位バリヤ６８との間に配置されている吸引内腔２２のポートから血液を吸引し、所望の流体で遮蔽環境を洗浄することにより、その後の再造形および／または切除を改善するように適合できる。規定されている場合、吸引および／または洗浄は、オプションにより同時に、実行され、それにより、制御された環境内に流れを発生し、気化ガス、切除破片などを除去することができる。
【００６０】
次に図１０Ｃおよび１０Ｄを参照すると、周辺撮像は、再造形および／または切除が血管壁Ｗの偏倚性部分または領域Ｒを目標とすべきであることを示す。電極を周辺粥腫分布に登録するのを補助するために、膨張可能構造２６の１つのストラットは識別可能な画像を備え、これにより、ストラットを回転位置合わせキーとして使用することができる。電極を登録するには、血管内超音波法（ＩＶＵＳ）、光干渉断層撮影法（「ＯＣＴ」）、血管内ＭＲＩなどの血管内撮像法を使用し、オプションにより、蛍光透視診断法、磁気共鳴撮像法（「ＭＲＩ」）などの外部撮像法を使用することができる。電子登録も使用できる。この情報に対する応答として、ＲＦエネルギーが領域Ｒ内の電極に送られる。これらのアクティブに通電される電極は、電極の全配列のサブセットを定め、電極のこのサブセットの選択は、以下で説明するように、コントローラを使用して実施することができる。
【００６１】
血管内の粥状硬化物質の切除を行うメカニズムは、Ｓｌａｇｅｒ他による記事「Ｖａｐｏｆｉｚａｔｉｏｒｚ  ｏｆ  Ａｔｈｅｒｏｓｃｌｅｒｏｔｉｃ  Ｐｌａｑｕｅ  ｂｙ  Ｓｐａｒｋ  Ｅｒｏｓｉｏｎ」、Ａｍｅｒ．Ｃａｒｄｉｏｌ．（Ｊｕｎｅ，１９８５）、１３８２〜６頁、Ｓｔｅｐｈｅｎ  Ｍ．Ｆｒｙによる記事「Ｔｈｅｒｙｚａｌ  ａｎｄ  Ｄｉｓｒｕｐｔｉｖｅ  Ａｎｇｉｏｐｌａｓｔｙ：ａ  Ｐｈｙｓｉｃｉａｎ’ｓ  Ｇｕｉｄｅ；」、Ｓｔｒａｔｅｇｉｃ  Ｂｕｓｉｎｅｓｓ  Ｄｅｖｅｌｏｐｍｅｎｔ，Ｉｎｃ．、（１９９０）などでよく説明されており、その全開示は参照により本明細書に組み込まれている。本発明のシステムで適合および／または使用するのに好適な蒸発方法および機器は、さらに、他の引用文献でもとりわけ、米国特許第５，０９８，４３１号、第５，７４９，９１４号、第５，４５４，８０９号、第４，６８２，５９６号、第６，５８２，４２３号の中で説明されている。これらの引用文献のそれぞれの完全な開示は、参照により本明細書に組み込まれる。
【００６２】
図１０に例示されているように、電極５０に通電することで、粥状硬化物質ＡＭが蒸発し、粥状硬化物質がカテーテル１２の内腔を通る吸引流Ｆにより血管から除去される。同時に洗浄流れがあると、カテーテルの近位バリヤと遠位バリヤとの間の環境を維持しやすくなり、これら２つの流れにより、血管Ｖ内のそのような塞栓の放出を抑制しつつガスＧや切除破片を取り込むことができる。この流体は、さらに、他の組織に対する加熱と付随する損傷を制限する冷却流体として機能することもでき、循環する流体は、多くの場合、人体温度よりも少なくとも低く、オプションにより、室温以下である。
【００６３】
次に図１０Ｅを参照すると、上で説明したように、血管内からすべての粥腫または粥状硬化物質を完全に除去する必要がない場合がある。公称固有内腔直径の少なくとも８０または８５％の実効直径を持つ開内腔とすることで十分と考えられる。再造形治療では、約３０％から約５０％までの範囲内の急性実効開直径を提供できる。いくつかの実施形態では、通電している電極または他のエネルギー指向面による粥状硬化物質に対し引き起こされる傷は、その後、損傷組織病変の再吸収を引き起こし、治癒過程の一部として治療終了後に血管がさらに開く。
【００６４】
長期有効性を促進し、血管Ｖの治療済み領域の再狭窄を抑止するために、再狭窄抑制カテーテル４０をカテーテル１２の内腔に通し、放射線源４２が血管の治療済み領域を照射するようにする。好適な血管内放射線カテーテルは、Ｎｏｖｏｓｔｅ（商標）、Ｇｕｉｄａｎｔ、Ｊｏｈｎｓｏｎ＆Ｊｏｈｎｓｏｎなどから市販されている。薬剤溶出ステントについて現在採用されているものと類似の再狭窄抑制薬剤も、カテーテル１２の内腔内に通し、オプションによりここでもまた近位バリヤと遠位バリヤを血管内に制御された環境ゾーンを維持するのに役立てるようにしつつ、内腔内に通し、浸透性薬剤送出が制限または回避されるようにできる。薬剤溶出ステントについて使用される知られている再狭窄抑制薬剤に加えて、血管拡張を引き起こす薬剤も採用されうる。Ｒａｐａｍｙｃｉｎ（商標）などの知られている再狭窄抑制薬剤も使用することができる。
【００６５】
いくつかの実施形態では、膨張可能構造２６は、血管壁Ｗおよび／または粥状硬化物質ＡＭに対し膨張したままにし、カテーテル１２を血管内を移動させ、カテーテルを、多くの場合、切除治療時または切除治療間に近くに引き出す。放射状に膨張した切り目バスケットの類似の移動は、例えば、現在Ｖｏｌｃａｎｏ  Ｔｈｅｒａｐｅｕｔｉｃｓにより開発されおよび／または商品化されているシステムで脆いプラークを検出するために血管の温度を測定するときに、使用される。それとは別に、バスケットを繰り返し縮めることができ、カテーテル１２の軸方向の移動を使用して、バスケットの位置を変更し、その後、粥状硬化物質ＡＭに沿って複数の治療位置のそれぞれでバスケットを膨張させることができる。カテーテル１２を中心とする繰り返し血管内撮像または他の粥状硬化物質厚さ測定を採用することができ、切除手術のときに画像を間欠的に撮れるように、再造形および／または切除は、一時的に停止されることが多い。最終画像を、再造形および／または切除が成功したことを確認するために撮ることができる。
【００６６】
次に図１１から２１を参照すると、さまざまな代替カテーテル構造の概略が示されており、それらの構造の多くは、再造形および／または切除に対し強化された血管内に微環境または制御された環境ゾーンを実現する。さまざまな塞栓抑制バリヤについても説明され、および／または例示されて、これらは、切除電極から軸方向にオフセットできるシラスティック・バルーン、曲げやすいリップ、または膨張可能コーンを含む。例えば、図１１および１２を参照すると、図２に例示されているのと類似のシステムは、近位ハブ１０４を備え、撮像カテーテルとガイドワイヤＧＷをシースの軸方向内腔で受け取る再造形および／または切除スリーブ１０２を使用することができる。微環境は、シリコンなどを含むことができる、マイクロチャンバ・リップ１０６により実現される。双極電極５０は、（必ずしもそうする必要はないが）ガスおよび／または他の切除破片を発生する場合があり、シリコン・リップはこれを封じ込めるのに役立つ。ハブ１０４の真空ポート１０８は、真空ポート１１０と流体により連絡しており、生理食塩水注入通路１１４とともに生理食塩水注入ポート１１２を使用して、再造形および／または切除の微環境を制御および／または修正することができる。図１３に例示されているように、カテーテルのシース１０２、二重バルーンなどを完全に取り囲むシリコン類似リップ１１６を使用して他のマイクロチャンバを実現できる。図１４に例示されているように、このような構造は、ＲＦ電極を支えるバスケット１１８と組み合わせることにより、マイクロチャンバ内に電極接点を備えることができる。バスケットは、オプションにより、Ｎｉｔｉｎｏｌ（商標）形状記憶合金を含むことができる。
【００６７】
次に図１５を参照すると、より一般的に、再造形／切除スリーブ１０２は、高周波エネルギー用の電極５０を支えることができ、また撮像カテーテル３４（ＩＶＵＳカテーテルなど）および／またはガイドワイヤＧＷの同軸および／または２軸挿入用の１つまたは複数の内腔を備えることができる。撮像カテーテル３４は、配列１２０の形の振動子を備えることができる。
【００６８】
次に図１６を参照すると、図１１および１２に示されているのと類似の再造形／切除スリーブ（ここでは断面）は、電極線内腔１２２、生理食塩水注入内腔１２４、および撮像またはＩＶＵＳカテーテル３４およびガイドワイヤＧＷが配置されているシース１０２の作業内腔への真空ポート１１０の開口を持つ。シリコン・リップまたは弁１２６により、微環境に真空状態を伝達することができる。
【００６９】
さらに他の代替配列が図１７および１７Ａに例示されている。図１７の実施形態では、内側電極１２８は、治療のため組織と接触する外側電極５０とともに、バイポーラ・システムで使用される。図１７Ａは、バルーン１３２（ラテックス製のバルーンなど）を持つバルーン・カテーテル１３０の使用法の概略を示している。電極５０は、ラテックス製バルーンの表面に、選択されたペアで使用するように取り付けられる。したがって、バルーン（バスケット構造ではなく）は、電極または他のエネルギー送出面を運ぶ放射状に膨張可能な構造として使用することができる。
【００７０】
図１８は、大きな構成から小さな構成まで縮められる膨張可能バスケット１３４の概略を示している。バスケットは、オプションにより、適切なエッジを用意することによりカッティング・バスケットとして使用することができ、および／または中の塞栓を捕捉することができる。図１９は、撮像カテーテル３４が軸方向に行きつ戻りつして撮像し、シラスティック・バルーン１３５が塞栓捕捉のため治療破片の遠位に配置される、再造形／切除スリーブ１０２を例示している。図２０は、図１７Ａのバルーン１３２に類似の代替電極送出バルーン１３８を例示しており、また近位に延びる曲げやすい内腔伸張部を持つ電極５０を例示している。図２１は、シース１０２の近位バリヤ１４０と遠位バリヤ１４２により実現されるマイクロチャンバ内のＲＦ電極の概略を示しており、その中では電極５０の位置がマイクロチャンバ内で作動される。
【００７１】
次に図２２および２３を参照すると、代替コントローラ９２ａ、９２ｂは、ＲＦ発生器９４から供給されるＲＦ電力でカテーテル１２の電極を選択的に通電する。５００ＫＨｚのバースト、異なる種類の波形など、さまざまな種類のＲＦエネルギーを採用することができる。コントローラ９２ａでは、単純にダイアル９６を回して、通電する所望の電極ペアを指すようにする。「キー」電極を、電子的に、または電極、電極支持部材、または血管内撮像ディスプレイ上に異なる画像を提示する付属マーカーを用意することにより血管内撮像システムに登録することができる。これにより、粥腫にそった１つまたは複数の偏倚性電極ペアの選択が簡素化される。カテーテル１２を、所望の偏倚性粥状硬化物質の正確な再造形および／または切除を行うため適切な向きに回転させる必要はない。コントローラ９２ｂは、類似の機能を備えるが、これにより、オペレータは、間にある双極ＲＦエネルギーを駆動する複数の電極を選択できるため、複数の電極を同時に通電できる自由度が高まる。図２３および２４は、図２１および２２にそれぞれ類似の専用制御配列を例示している。患者接地は、患者接地板、バスケット２６から２〜５ｃｍ離れているリング電極などにより実行できる。もう一度いうが、電極選択コントローラを通じてさまざまな偏倚性切除配向を選択できるので、ターゲットの粥腫に隣接するカテーテルのアクティブ側の向きを決めるために、カテーテルの回転は必要ない。
【００７２】
図２６および２７は、本明細書で説明されているカテーテルおよび方法で使用する代替流体流配列の概略図である。図２６の実施形態では、膨張可能本体２６から近位に延びる管状本体１５０は、１つまたは複数の洗浄ポート１５２を備え、洗浄ポートは膨張可能本体の近位に配置される。吸引ポート１５４は、ガイドワイヤおよび／または撮像カテーテル内腔１５６となる管状本体を含む。洗浄流体は、遠位に流れ、これは、人体内腔内の血流の方向でもある。洗浄流体は、吸引ポートを通じて吸引することができる。図２７の実施形態では、内腔１５４は、吸引のために使用され、さらにガイドワイヤおよび／または撮像カテーテルのために使用される。
【００７３】
代替コントローラは、図２８Ａ〜Ｄに例示されている。このコントローラを使用することで、オペレータは、電極毎に、その電極を非アクティブに保つかどうかを選択し、その電極をエネルギー源（ＲＦ発生器など）の第１の極（極Ａとも呼ばれる）に電気的に結合するか、またはその電極をエネルギー源の第２の極または極Ｂに電気的に結合することができる。このコントローラを使用することにより、１つ以外のすべての電極がエネルギー源の一方の極（極Ａ）に接続され、１つの電極が他方の極（極Ｂ）に接続される、擬似単極モードを含む、さまざまな通電電極構成を使用できる。図２８Ａを参照すると理解できるように、コントローラ１６０を使用することにより、ＲＦ再造形および／または切除用の多数の電極構成をテストすることができ、これは、特に、２つ以上の電極を伴う。スイッチ・パネル１６２の詳細が、図２８Ｂに示されている。それぞれの電極（この実施形態では、最大８本までの電極）は、１から８まで番号が振られた３路スイッチに結合され、スイッチが真ん中位置の場合、電極はいずれの極にも結合されていないことを示し、スイッチがプラス記号の方に押された場合、関連する電極はコントローラとともに赤色ＲＦコネクタに結合されていることを示す。同様に、スイッチがマイナス記号の方に押された場合、関連する電極は、制御ボックスの黒色ＲＦコネクタに電気的に結合される。
【００７４】
図２８Ｃを参照すると理解できるように、スイッチ３〜８に関連付けられている電極は、いずれの極にも結合されず、電極１は、赤色ＲＦコネクタに接続され、電極２は、黒色ＲＦコネクタに接続される。ＲＦ発生器をアクティブ化すると、電極１と２との間で双極ＲＦエネルギーが循環する。図２８Ｄでは、電極５〜８は通電せず、電極１および３は赤色ＲＦコネクタに結合されている。電極２および４は、黒色ＲＦコネクタに接続されており、したがって、ＲＦ発生器のアクティブ化により、電極１と３との間、および電極２と４との間で双極ＲＦエネルギーが循環する。
【００７５】
例示的な自己膨張可能バスケットは、図２９Ａ〜２９Ｈに例示されている。これらの図面から理解できるように、電極は、例えば、図２９Ｂおよび２９Ｅに示されているように、ストラットの軸方向中心部分に配置されたそれぞれのストラットの局部的拡張１７４の放射状に外に向いた表面を使用して、ストラット１７２の一部として加工することができ、バスケットはそれから形成される。オプションによりＮｉｔｉｎｏｌ（商標）ニッケル・チタン形状記憶合金を含む、それぞれの１個の材料からそれぞれのアームを形成することができ、ストラットは、オプションにより、Ｎｉｔｉｎｏｌ（商標）管からレーザーで切り出される。例えば、電極／バスケットをポリイミドなどの高温ポリマーでコーティングすることができる。電極１７４は、コーティングを抑制するか、または関連するストラット１７２の所望の部分からコーティングを除去し（図２９Ｅに例示されているように）、電極面がむき出しにされ粥状硬化物質と接触するようにすることで形成することができる。ストラットは、互いに分離され、紫外線（「ＵＶ」）硬化または熱収縮スリーブ、ポリエチレン、ナイロンなどの絶縁物質で構造的に支持され、バスケット１７０を形成することができる。
【００７６】
それぞれのストラット１７２は、電極面１７４とストラットからコントローラに向かって近位側に延びている導線との間にエネルギーを伝導するために使用することができる。このような導線を接続するための近位パッドは、図２９Ｃに例示されているが、遠位構造パッド１７８は図２９Ｄに例示されている。隣接する電極１７４は、図２９Ｆに示されているように、軸方向にオフセットまたは千鳥配置できる。それぞれのストラット１７２にそった絶縁コーティングは、スポット溶接などにより、関連する導線の接続が容易になるように、近位パッド１７６の内面から抑制または除去することができる。パリレン・コーティングを含む、他の絶縁材料も使用することができるが、接着する、絶縁ＵＶ硬化を使用する、パッド構造をポリエチレンに埋め込むなどを含む、ストラット１７２をカテーテル本体に取り付ける代替方法を使用することができる。
【００７７】
バスケット１７０のストラット１７２をカテーテル本体１８０に固定するための例示的な構造が図２９Ｇに示されている。
【００７８】
次に図２９Ｆおよび２９Ｈを参照すると、画像または他の粥状硬化物質測定にバスケット１７０の選択された電極１７４を回転登録するための区別可能な画像を提供する代替の例が理解できるであろ。この実施形態では、電極１として参照されている電極１７４ｉは、関連するストラット１７２ｉ上に配置された放射線不透過性マーカー１８２を持つ。関連する第２の電極１７４iiを支えるストラット１７２iiは、すべての電極を明確に参照できるようにする周辺非対称カウント・インジケータを備える２つの放射線不透過性マーカー１８２を持つことができる。電極５０の形状はさまざまなものとすることができ、例えば、電極１７４は、図２９Ａ〜Ｇに例示されているようにストラット１７２の他の部分よりも広くすることができる。
【００７９】
上述のように、再造形は、洗浄および／または吸引流を使用して実行されることが多い。多くの実施形態では、洗浄ポートは、生理食塩水などの流体を洗浄内腔からバスケットの内側に導く。吸引ポートは、吸引内腔とバスケットの内部との間を流体で連絡させることができる。これらの流体流の一方または両方を連続的に流すか、またはその代わりに、治療前、治療中、および／または治療後にパルス的に流すことができる。いくつかの実施形態では、吸引および／または洗浄流は、洗浄ポートと吸引ポートとの間で循環するように鋭くまたは同時に発生しうる。オプションにより、流れは、切除破片を吸引ポートに運び、そこで破片を吸引内腔を通して排出することができる。バスケットが血管内で膨張したときに切除破片の塞栓形成を抑制するために、洗浄流体がバスケットに極めて近い領域に制限されるように、洗浄システムと吸引システムとの間に協調があってもよい。例えば、このような協調は、切除破片の遠位移動を抑制し、および／または遠位および／または近位バリヤまたは膜の必要性がなくすことができる。いくつかの実施形態では、洗浄ポートと吸引ポートとの間の流体の循環により、電極付近に事実上無血の環境が生じ、これにより再造形および／または切除、粥状硬化性組織の撮像などが容易に行えるようになる。
【００８０】
次に図３０Ａおよび３０Ｂを参照すると、本発明のカテーテル・システムおよび構造から送られるエネルギーの制御では、熱電対と他の温度感知構造をオプションにより使用することができる。Ｋ型熱電対（＋ＣＨ／−ＡＬ）などの熱電対を膨張可能構造の１つまたは複数のストラットにまたはその近くに取り付けて、温度測定を行うことができる。例えば、そのような構造は、組織温度測定、血液温度測定、治療温度測定などを行うことができる。
【００８１】
オプションにより、温度測定構造は、さらに、例えば、図３０Ａおよび３０Ｂに例示されている構造のうちの１つまたは複数を使用することにより、ＲＦ電極として使用することもできる。図３０Ａの実施形態では、熱電対１８２は、スイッチ１８８によりＲＦエネルギー源１８４または温度計１８６に結合することができる。類似の実施形態は、図３０Ｂに例示されている。
【００８２】
次に図３１を参照すると、代替カテーテル・システム１９０は、ストラット１９２により支えられている複数の電極５０を含む。ストラット１９２は、電極の周辺配列は縮小可能なようにシース１９４を通して遠位に延びたときに放射状に膨張する。ボール状の先端１９６は、近位的に配向された高圧ジェット１９８を含み、このボール状の先端は、一方の極として使用され、選択された電極５０は他方の極として使用されるようにできる。それとは別に、双極電力を電極５０などの間で駆動することができる。オプションにより、スクリーンなどの近位バリヤ２００は、移動を抑制する、および／または破片を捕捉するために使用することができる。
【００８３】
ＲＦ電極が通電すると、高圧ジェットがさらにアクティブ化され、生理食塩水が勢いよく送られる。ベンチュリー効果により、破片が取り込まれ、カテーテル内腔を通して近位的に輸送され、通常は、シース１９４に結合されている吸引源を使用して排出されるようにできる。破片は、スクリーン、固形シート、ネットなどを含むことができるバリヤ２００内にトラップすることができる。いくつかの実施形態では、高圧ジェットの代わりに隣接するボール先端１９６からの低圧ジェットを使用することができる。
【００８４】
次に図３２Ａ〜３２Ｄを参照すると、代替膨張可能構造は、人体内腔内の曲がりに沿って膨張したときなど、膨張可能構造が軸方向に曲がる場合に、膨張可能構造がよじれたり、平たくなったりするのを回避することができる。図３２Ｃの実施形態では、コイルまたはヘリカル膨張可能構造２０２が小さな側断面形状２０４と大きな側断面形状２０６を持ち、互いに関して遠位端２０８および／または近位管本体２１０をねじる、プル／リリース・メカニズムを使用するなどにより展開および／または引き込むことができる。吸引および／または洗浄は、上述のように、近位管部材２１０を通じて行うことができ、コイル構造は単一のループまたは複数のループを備え、これにより、膨張形状２０６のときに１つまたは複数の列の電極５０を周辺に並べることができる。図３２Ｄの実施形態では、拡張する膨張可能構造２１２は、軸方向ストラットおよび／または管拡張バルーンとして形成されたリングを備え、膨張可能構造を小さな側断面形状から図に示されている大きな側断面形状に拡大することができる。
【００８５】
さらに他の代替膨張可能構造とエネルギー送出面の概略が図３３〜３５に示されている。図３３に例示されているマイクロ治療機器２１６では、バスケットのそれぞれのストラットは、ヘリカル・マイクロ波アンテナを備え、アンテナの内側はカテーテル軸に向かってエネルギーを放射することを回避するように遮蔽されている。アンテナの焦点を変化させることによりエネルギー送出面とターゲット組織との間の深さを変えられる単一指向性アンテナを含む、代替マイクロ波アンテナも採用できる。そのような集束マイクロ波機器は、カテーテル軸に対して回転可能である、軸方向に移動可能である、などのアンテナを備えることができる。
【００８６】
図３４および３５の実施形態では、カテーテル本体は、ここでもまた、一連のストラット２１８、２２０を支え、また複数の洗浄またはフラッシング内腔を持つ。カテーテル本体内の洗浄内腔は、ストラットに沿って延びる（および場合によってはストラット内に一体化される）管構造と流体により連絡しており、流体フラッシング・ポート２２２は生理食塩水または他の流体を電極５０またはマイクロ波アンテナ２２４に向けて送る。エネルギー送出面に対する電気外科的電力は、ストラット構造を使用して送信することができるか、またはワイヤ２２６をストラットに沿ってエネルギー送出面にまで延ばすことができる。図３５の実施形態では、マイクロ波アンテナ２２４の内側部分にそった遮蔽２２８が見られるが、これは、撮像カテーテルに向けて送られるマイクロ波エネルギーを制限することができる。マイクロ波アンテナをエネルギー送出機器として採用する実施形態では、一度に周辺配列の１つのアンテナのみが通電することができ、したがって、カテーテル本体にそった導線間の干渉を回避することができる。
【００８７】
次に図３６を参照すると、本明細書で説明されているカテーテル・システムのコントローラにより、異なる電力レベルを異なるペアの電極に分配することができる。例えば、図３６に例示されているような粥状硬化物質ＡＭの周辺分布に対する応答として、コントローラは、５０ワットのエネルギーを第１の電極２３０に送り、３０ワットのエネルギーを第２の電極２３２のペアに送り、１０ワットのみのエネルギーを第３の電極２３４のペアに送ることができる。他の電極については、上述のように、エネルギーはいっさい送られない。いくつかの実施形態では、異なる電極に送られる異なる電力は、デューティ・サイクルを制御することにより供給することができ、例えば、時間の５０％について１つまたは複数の電極に通電することにより５０ワットが供給され、時間の３０％について１つの電極に通電することにより３０ワットが供給される。
【００８８】
次に図３７Ａ〜３７Ｃを参照すると、多くの撮像モダリティ（血管内超音波法、光干渉断層撮影法、血管内ＭＲＩなどを含む）は、少なくとも一部が、Ｎｉｔｉｎｏｌ（商標）で形成されたバスケットなどの金属構造内に画像検出構造の位置を決めることにより、ブロック化または劣化しうる。したがって、プラスチックまたはポリマーを含むバスケットなどの代替膨張可能構造を生産するうえでメリットがある。本明細書で説明されているシステムの電極により生成される熱を考慮すると、このようなポリマー・バスケット構造２４０がポリイミドなどの高温ポリマーを含むことは好都合である。代替バスケット構造は、ＨＤＰＥ、ＰＥＴ、Ｎｙｌｏｎ（商標）、ＰＥＢＡＸ（商標）などを含む。図３７Ｂに例示されているように、バスケット・ストラットの近位端は、シャフト２４２の接着点２４４に接着剤で付けることができる。撮像カテーテル・ガイド２４６は、バスケット構造２４８の遠位端を通して延び、バスケットの遠位端は、ガイドに沿って軸方向に自由にスライドできる。プルワイヤ２５０は、遠位端２４８に固定することができ、これによりプルワイヤを引くことで、バスケットを放射状に膨張させるが、このときに、プルワイヤは近位シャフト２４２の内側を通っている。バスケットは、プルワイヤを押すことにより引き込めてその小さな側断面形状に戻すことができるか、またはバスケットは、バスケットを小さな側断面形状にするバイアス手段を備えることができる。撮像パフォーマンスの劣化を回避するために、釣り糸に似たポリマー引張り部材をプルワイヤとして使用することができる。例示的な実施形態では、ポール・ワイヤは、バスケットを押して小さな側断面形状にする十分な圧縮剛性を持つＮｉｔｉｎｏｌ（商標）を含む。
【００８９】
バスケット２４０は、遠位部分２４８を好ましくは未切断のままにしておき、ポリマー材料の管からストラットを切り出すことにより形成することができる。ストラットの近位端は、接着２４４を形成するのに先立って分離させることができ、リング形状ＲＦ電極をそれぞれのアームに沿ってスライドさせ、バスケットの中間部分に沿って所望の形状に接着剤で付けることができる。
【００９０】
例示的な治療方法は、図３８Ａ〜３８Ｈに示されている。図３８Ａでは、カテーテル・システム２６０は、粥状硬化物質を、上述のように検出し、治療するカテーテル２６４の上にバスケット・カバー・シース２６２を含む。この実施形態では、外側バスケット・シース２６２は、図３８Ｂに例示されているように、外側シースから放出されたときに放射状に膨張するようにバイアスがかけられているバスケット２６６を放射状に抑制している。いくつかの実施形態では、バスケットは、プルワイヤを引く、カテーテルの一方の部分を他方に関して回転させる、などにより、外側スリーブが引き込められた後、膨張させることができる。バスケットが血管Ｖ内で膨張すると、バスケットの電極５０は、囲んでいる血管壁と係合する。治療カテーテルの内腔内に配置されている撮像カテーテルのバスケット２６６の近くにある結像変換器は、血管Ｖを評価し、検出／治療カテーテル・システム２６４は、動脈または血管Ｖに沿って近位に引かれる。
【００９１】
撮像カテーテルが図３８Ｃに例示されているように粥状硬化物質ＡＭを検出した場合、適切なサブセット（場合によっては、単一の電極５０のみを含む）はアクティブ化され、図３８Ｄに例示されているように、粥状硬化物質ＡＭの再造形が行われ、治療中に開いている血管内腔サイズが適度に拡大する。カテーテルは、次の粥腫の近位まで引かれ、再び検出と治療が行われる。治療に先立つ制限された開内腔の断面の概略が図３８Ｆに例示されており、これは、さらに、カテーテル２６４の生理食塩水フラッシングまたは洗浄内腔２６８も例示している。治療エネルギーと血管Ｖの開放内腔直径の適度な増大の概略が、図３８Ｇの断面図に示されている。治癒反応により開放内腔直径が徐々に拡大した後、図３８Ｈに概略が例示されている長期にわたって開いた内腔の結果を示すことができる。
【００９２】
次に図３９ＡおよびＢを参照すると、ゼラチン動脈モデル２７０内の偏倚性物質除去がそこに提示されている。テストに先立って、動脈モデルは、図３９Ａに示されているように一貫性のある内腔２７２を備える。電極の周辺配列を支える膨張可能バスケットを持つテスト偏倚性治療カテーテル２７４が内腔２７２内に導入され、膨張可能バスケットは内腔壁と係合する電極を支える。テスト・カテーテル２７４の選択された電極は通電されており、これにより、ゼラチン動脈モデル２７４の偏倚性治療が行われ、それによって、この場合は内腔２７２の片側に沿ってそこから偏倚性体積分２７６を取り除くことによりゼラチン・モデルの偏倚性再造形が実行される。取り除かれた物質の向きと量は、テスト・カテーテル２７４の電極を選択的に通電することにより制御された。
【００９３】
次に図４０を参照すると、例示的なカテーテル・システム２８０が示されている。この実施形態では、カテーテル本体２８２は、中に撮像カテーテルを収納できる、また洗浄流体を洗浄ポート２８４に運ぶ洗浄内腔としても使用される、十分な大きさの単一内腔のみを含む。内腔は、洗浄ポート２８４から遠位のところで直径が大きくなり、小さい直径部分２８６は内腔内で撮像カテーテルをぴったり受け入れ、これにより洗浄流体を複数の洗浄ポートを通して放射状に外へ送ることができる。この実施形態は、図３８Ａ〜３８Ｈに例示されている方法を使用して粥状硬化物質の再造形を行うときに特に役立つと考えられ、その場合、吸引がなくても適度な加熱で血管サイズが改善される。
【００９４】
カテーテル本体２８２は、導線（例えば、銅線またはベリリウム銅線）がポリイミドの層などの高温および／または高強度絶縁体でコーティングされている編み上げシャフトを含むことができる。編み上げ線を材料の層の間にサンドイッチ状に挟み、カテーテル本体２８２のシャフトを形成することができる。例えば、シャフトは、ポリエチレンの複数の層、内部Ｔｅｆｌｏｎ（商標）ＰＴＦＥ層、外部ナイロン層などを含むことができる。
【００９５】
電流が流れるときにワイヤ間の容量性損失を抑制するために、シャフト２８２のワイヤを編み上げることができる。容量性損失は、エネルギー源からカテーテル・システムの電極に電流を流すワイヤと電極からエネルギー源に電流を戻すワイヤが平行でなく、ある角度、理想的には直角をなしている場合に減らすことができる。これは、ワイヤを適切なピッチで、または１インチ当たり数ピークが来るように編み上げることにより実現できる。カテーテル・システム２８０のバスケット構造１７０を含めることができるが、バスケット構造について図２９Ａ〜２９Ｈを参照しつつ詳細に説明する。ガイド２８６は、バスケット１７０内を通して延ばすことができ、これは、オプションによりＨＤＰＥ、ＰＥＴなどを含む、撮像カテーテルに対し透過的な材料を含むことができる。
【００９６】
さらに他の代替手段も利用可能である。例えば、ＲＦエネルギーを使用して粥状硬化物質の再造形を行う他の方法では、隣接する電極を位相配列として使用するため、複数の隣接する電極を異なるＲＦ信号を通電することができる。位相配列は、配列の隣接要素の信号の間の建設的および破壊的干渉を使用して所望の方向に電磁信号を向けるか、または誘導することができる。隣接する信号の位相を制御することにより、電極の位相配列は集束された、および／または誘導可能なＲＦ信号を供給することができる。
【００９７】
誘導および方向性を制御するとともに、隣接するＲＦ電極の位相を調整することにより、ＲＦエネルギーの一部または大半を粥状硬化物質の内側の所望の深さＤのところに集束させることができるが、その際に、信号の間の建設的および破壊的干渉を使用して電極面と深さＤとの間のＲＦエネルギー送出を抑制する。例えば、このようなシステムは、プラークのキャップを温存し、再狭窄を減らすために採用することができる。エネルギーをプラークの内部部分に向けて集束させながらキャップの加熱を抑制することにより、他の方法では再狭窄を引き起こす可能性のある熱に対する免疫反応を低くすることができる。したがって、キャップの加熱を抑制することで、再狭窄を低減することができる。
【００９８】
一般に、本発明は、高弾性、膨張可能構造、特に「バスケット」を定めるために切り目により分離された構造部材から形成された膨張可能構造を使用することができる。このような構造は、粥状硬化物質の除去前、除去中、および／または除去後に動脈直径に適合するようにできる。このような膨張可能であるため、粥腫に対し電極を直接接触させることができるが、本発明のシステムは、さらに、導電性流体環境を使用して、ＲＦエネルギー経路を完成させるか、または逆に、非導電性流体を使用して、組織内に通されるエネルギーを高めることもできる。膨張可能構造の中間部分を中心として周辺に、複数の電極を分配することができ、これらの電極のサブセットをアクティブ化して、偏倚性組織再造形および／または切除を行うようにできる。
【００９９】
血管内撮像により粥腫を識別し、ターゲットとすることができ、それらの機能は、再造形および／または切除カテーテル内に組み込むことができる。血管内撮像機能は、切除カテーテル内を進めることができ、また切除カテーテルから除去できる別のカテーテル内に配備できる。一般に、この血管内撮像機能を使用することで、治療の進捗を監視し、壁の切り目を回避することができるが、その一方で、閉塞を総固有血管直径の１５％以下に抑えられ理想的である（治療の完了後、またはその後の組織治癒の後）。切除カテーテルでは、さらに、再狭窄防止治療のため局部的放射線または薬剤送出を利用することができる。切除カテーテルは、血管内撮像システム、放射線送出またはその他の治療カテーテル、破片および気化ガスの吸引を選択的に利用できるようにする比較的大きな内腔を備えることができ、これらは順次使用されることが多い、ガイドワイヤでは、この内腔または別の内腔を利用することができ、再狭窄および／または撮像カテーテルのアクセスを可能にするためガイドワイヤを取り外すことができる。
【０１００】
実施例を使用し、わかりやすくするなるように、例示的な実施形態をある程度詳細に説明さしているが、当業者であれば、さまざまな修正、適合、および変更を採用できることを理解するであろう。したがって、本発明の範囲は、付属の請求項によってのみ限定されなければならない。
【図面の簡単な説明】
【０１０１】
【図１Ａ】複数血管の実質的長さが限られた有効径を持つびまん性粥状硬化性疾患を例示する図である。
【図１Ｂ】血管内の脆いプラークを例示する図である。
【図１Ｃ】いくつかの血管の急な曲がりまたは蛇行を示す図である。
【図１Ｄ】分岐点での粥状硬化性疾患を示す図である。
【図１Ｅ】両極端の粥状硬化性疾患に関連する病変を示す図である。
【図１Ｆ】ステント破裂または腐食を示す図である。
【図１Ｇ】血管内の開放を例示する図である。
【図１Ｈ】健康な動脈の周りの動脈壁の周辺測定結果を例示する図である。
【図１Ｉ】再狭窄動脈の粥腫の周辺分布を例示する図である。
【図２】本発明による粥状硬化物質カテーテル・システムの概略図である。
【図２Ａ】図２のカテーテルを含む、粥状硬化物質を再造形するためのカテーテル・システムの概略図である。
【図３】図２のカテーテル・システムの膨張可能バスケットおよび関連する電極配列を例示する図である。
【図４】図２のカテーテル・システムとともに使用する代替バスケット構造を例示する図である。
【図５】図２のカテーテル・システムとともに使用する代替バスケット構造を例示する図である。
【図６】周辺配列内の交互に並ぶ軸方向にオフセットされた電極を持つ例示的なバスケット構造を例示する図である。
【図７Ａ】バスケットとともに使用する例示的な切除破片バリヤを例示する図である。
【図７Ｂ】バスケットとともに使用する例示的な切除破片バリヤを例示する図である。
【図７Ｃ】代替バスケットおよび破片バリヤを例示する図である。
【図８】超弾性金属バスケットの関連する要素に取り付けられた専用導線を持つ電極を例示する図である。
【図９】電極の周辺配列を支えるポリイミドを含むバスケットの図である。
【図１０】図２のカテーテル・システムを使用する例示的な粥状硬化物質再造形および／または除去方法を示す図である。
【図１１】本明細書で説明されている方法で使用する代替カテーテルおよびカテーテル・システムの概略図である。
【図１２】本明細書で説明されている方法で使用する代替カテーテルおよびカテーテル・システムの概略図である。
【図１３】本明細書で説明されている方法で使用する代替カテーテルおよびカテーテル・システムの概略図である。
【図１４】本明細書で説明されている方法で使用する代替カテーテルおよびカテーテル・システムの概略図である。
【図１５】本明細書で説明されている方法で使用する代替カテーテルおよびカテーテル・システムの概略図である。
【図１６】本明細書で説明されている方法で使用する代替カテーテルおよびカテーテル・システムの概略図である。
【図１７】本明細書で説明されている方法で使用する代替カテーテルおよびカテーテル・システムの概略図である。
【図１８】本明細書で説明されている方法で使用する代替カテーテルおよびカテーテル・システムの概略図である。
【図１９】本明細書で説明されている方法で使用する代替カテーテルおよびカテーテル・システムの概略図である。
【図２０】本明細書で説明されている方法で使用する代替カテーテルおよびカテーテル・システムの概略図である。
【図２１】本明細書で説明されている方法で使用する代替カテーテルおよびカテーテル・システムの概略図である。
【図２２】図２のシステム内の電極を選択的に通電するコントローラの概略図である。
【図２３】図２のシステム内の電極を選択的に通電するコントローラの概略図である。
【図２４】図２のシステム内の電極を選択的に通電するコントローラの概略図である。
【図２５】図２のシステム内の電極を選択的に通電するコントローラの概略図である。
【図２６】粥状硬化物質再造形カテーテルで使用する代替流体流路の概略図である。
【図２７】粥状硬化物質再造形カテーテルで使用する代替流体流路の概略図である。
【図２８Ａ】図２のシステム内の電極を選択的に通電する代替コントローラの図である。
【図２８Ｂ】図２のシステム内の電極を選択的に通電する代替コントローラの図である。
【図２８Ｃ】図２のシステム内の電極を選択的に通電する代替コントローラの図である。
【図２８Ｄ】図２のシステム内の電極を選択的に通電する代替コントローラの図である。
【図２９Ａ】コンポーネントとともに、電極面として使用する局部的な強化された幅を持つ独立のストラットにより形成される代替バスケット構造を例示する図である。
【図２９Ｂ】コンポーネントとともに、電極面として使用する局部的な強化された幅を持つ独立のストラットにより形成される代替バスケット構造を例示する図である。
【図２９Ｃ】コンポーネントとともに、電極面として使用する局部的な強化された幅を持つ独立のストラットにより形成される代替バスケット構造を例示する図である。
【図２９Ｄ】コンポーネントとともに、電極面として使用する局部的な強化された幅を持つ独立のストラットにより形成される代替バスケット構造を例示する図である。
【図２９Ｅ】コンポーネントとともに、電極面として使用する局部的な強化された幅を持つ独立のストラットにより形成される代替バスケット構造を例示する図である。
【図２９Ｆ】コンポーネントとともに、電極面として使用する局部的な強化された幅を持つ独立のストラットにより形成される代替バスケット構造を例示する図である。
【図２９Ｇ】コンポーネントとともに、電極面として使用する局部的な強化された幅を持つ独立のストラットにより形成される代替バスケット構造を例示する図である。
【図２９Ｈ】コンポーネントとともに、電極面として使用する局部的な強化された幅を持つ独立のストラットにより形成される代替バスケット構造を例示する図である。
【図３０】熱電対および他の温度センサを温度測定のため、また電極として使用できるようにする電気回路の概略図である。
【図３１】本明細書で説明される方法で使用する代替カテーテル構造の概略図である。
【図３２】本明細書で説明されている方法で使用する代替バスケットおよびカテーテル構造の概略図である。
【図３３】マイクロ波エネルギーを使用して粥状硬化物質を再造形する代替カテーテル構造の概略図である。
【図３４】本明細書で説明されている方法で向き付けられた洗浄水流を供給するため電極に向かって延びる内腔を持つ代替カテーテル構造の概略図である。
【図３５】本明細書で説明されている方法で使用するため洗浄水流をマイクロ波アンテナに向けて送る内腔を持つ他の代替カテーテル・バスケット構造の概略図である。
【図３６】粥状硬化物質を偏倚性的に再造形するため異なる電極を通じて異なる電力レベルの印加を示す概略断面図である。
【図３７】電極の周辺配列を支え、血管内撮像を容易にするためバスケットがポリイミドを含む、他の代替カテーテル・バスケット構造を例示する図である。
【図３８Ａ】本明細書で説明されている治療方法および機器の追加態様を示す人体内腔を通る側断面図である。
【図３８Ｂ】本明細書で説明されている治療方法および機器の追加態様を示す人体内腔を通る側断面図である。
【図３８Ｃ】本明細書で説明されている治療方法および機器の追加態様を示す人体内腔を通る側断面図である。
【図３８Ｄ】本明細書で説明されている治療方法および機器の追加態様を示す人体内腔を通る側断面図である。
【図３８Ｅ】本明細書で説明されている治療方法および機器の追加態様を示す人体内腔を通る側断面図である。
【図３８Ｆ】偏倚性治療方法および機器の追加態様を示すための人体内腔および治療機器の断面図である。
【図３８Ｇ】偏倚性治療方法および機器の追加態様を示すための人体内腔および治療機器の断面図である。
【図３８Ｈ】偏倚性治療方法および機器の追加態様を示すための人体内腔および治療機器の断面図である。
【図３９】ゼラチン動脈モデルの偏倚性治療機器および方法を例示する図である。
【図４０】例示的なカテーテル・アセンブリの斜視図である。
【図１Ａ】
2007504910.tif 000003
【図１Ｂ】
2007504910.tif 000004
【図１Ｃ】
2007504910.tif 000005
【図１Ｄ】
2007504910.tif 000006
【図１Ｅ】
2007504910.tif 000007
【図１Ｆ】
2007504910.tif 000008
【図１Ｇ】
2007504910.tif 000009
【図１Ｈ】
2007504910.tif 000010
【図１Ｉ】
2007504910.tif 000011
【図２】
2007504910.tif 000012
【図２Ａ】
2007504910.tif 000013
【図３】
2007504910.tif 000014
【図４】
2007504910.tif 000015
【図５】
2007504910.tif 000016
【図６】
2007504910.tif 000017
【図７Ａ】
2007504910.tif 000018
【図７Ｂ】
2007504910.tif 000019
【図７Ｃ】
2007504910.tif 000020
【図８】
2007504910.tif 000021
【図９】
2007504910.tif 000022
【図１０】
2007504910.tif 000023
【図１１】
2007504910.tif 000024
【図１２】
2007504910.tif 000025
【図１３】
2007504910.tif 000026
【図１４】
2007504910.tif 000027
【図１５】
2007504910.tif 000028
【図１６】
2007504910.tif 000029
【図１７】
2007504910.tif 000030
【図１８】
2007504910.tif 000031
【図１９】
2007504910.tif 000032
【図２０】
2007504910.tif 000033
【図２１】
2007504910.tif 000034
【図２２】
2007504910.tif 000035
【図２３】
2007504910.tif 000036
【図２４】
2007504910.tif 000037
【図２５】
2007504910.tif 000038
【図２６】
2007504910.tif 000039
【図２７】
2007504910.tif 000040
【図２８Ａ】
2007504910.tif 000041
【図２８Ｂ】
2007504910.tif 000042
【図２８Ｃ】
2007504910.tif 000043
【図２８Ｄ】
2007504910.tif 000044
【図２９Ａ】
2007504910.tif 000045
【図２９Ｂ】
2007504910.tif 000046
【図２９Ｃ】
2007504910.tif 000047
【図２９Ｄ】
2007504910.tif 000048
【図２９Ｅ】
2007504910.tif 000049
【図２９Ｆ】
2007504910.tif 000050
【図２９Ｇ】
2007504910.tif 000051
【図２９Ｈ】
2007504910.tif 000052
【図３０】
2007504910.tif 000053
【図３１】
2007504910.tif 000054
【図３２】
2007504910.tif 000055
【図３３】
2007504910.tif 000056
【図３４】
2007504910.tif 000057
【図３５】
2007504910.tif 000058
【図３６】
2007504910.tif 000059
【図３７】
2007504910.tif 000060
【図３８Ａ】
2007504910.tif 000061
【図３８Ｂ】
2007504910.tif 000062
【図３８Ｃ】
2007504910.tif 000063
【図３８Ｄ】
2007504910.tif 000064
【図３８Ｅ】
2007504910.tif 000065
【図３８Ｆ】
2007504910.tif 000066
【図３８Ｇ】
2007504910.tif 000067
【図３８Ｈ】
2007504910.tif 000068
【図３９】
2007504910.tif 000069
【図４０】
2007504910.tif 000070
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
患者の血管の粥状硬化物質の偏倚性再造形のためのカテーテル・システムであって、
間に軸を置く近位端と遠位端を持つ細長く曲げやすいカテーテル本体と、
前記カテーテル本体の前記遠位端近くの放射状に膨張可能な構造と、
前記膨張可能な構造が膨張するときに、それぞれが放射状に向けらる複数のエネルギー送出面と、
周辺粥状硬化物質検出を行うために配置された粥状硬化物質検出器と、
前記エネルギー送出面に電気的に結合された電源であって、前記検出された粥状硬化物質の偏倚性再造形を行うために前記エネルギー送出面に通電する前記電源とを備えるカテーテル・システム。
【請求項２】
前記カテーテル本体は、前記近位端と前記遠位端との間に延びる内腔を持つ請求項１に記載のカテーテル・システム。
【請求項３】
さらに、前記カテーテル本体の前記近位端で前記内腔と流体により連絡する吸引コネクタを備える請求項２に記載のカテーテル・システム。
【請求項４】
さらに、それぞれ前記エネルギー送出面の近位と遠位に配置された近位と遠位破片バリヤ、および粥状硬化物質再造形時に破片を除去するため前記近位バリヤと前記遠位バリヤとの間に配置された吸引ポートを備える請求項３に記載のカテーテル・システム。
【請求項５】
前記粥状硬化物質検出器は、
前記内腔内に配置された血管内超音波法カテーテルと、
前記内腔内に配置された血管内光干渉断層撮影カテーテルと、
前記内腔内に配置された血管内磁気共鳴撮像カテーテルのうちの少なくとも１つを備える請求項２に記載のカテーテル・システム。
【請求項６】
さらに、前記カテーテル本体の前記近位端と前記カテーテル本体の前記遠位端との間に延びる洗浄内腔を備える請求項２に記載のカテーテル・システム。
【請求項７】
さらに、前記血管の再狭窄を抑制するために前記内腔内で遠位に進めることができる再狭窄抑制剤を備える請求項２に記載のカテーテル・システム。
【請求項８】
前記再狭窄抑制剤は、放射線源を備える近接照射療法カテーテルを含む請求項７に記載のカテーテル・システム。
【請求項９】
前記放射状膨張可能本体は、複数の曲げやすいストラットを備え、前記エネルギー送出面は、円周方向に向けられた配列を形成する請求項１に記載のカテーテル・システム。
【請求項１０】
前記放射状膨張可能構造のストラットは、膨張可能バスケットを定めるために間に配置された切り目を持ち、前記バスケットは、近位部分と遠位部分を持ち、中間部分はそれらの間に配置され、電極の前記配列は前記バスケットが前記血管内で膨張したときに隣接する粥状硬化物質と係合するように前記中間部分に沿って支えられ、さらに、前記バスケットの内部と流体で連絡している吸引ポートを備える請求項９に記載のカテーテル・システム。
【請求項１１】
さらに、破片の遠位移動を抑制するための前記電極から遠位にある前記血管内に展開可能な遠位膜、および前記破片の近位移動を抑制するための前記電極から近位に展開可能な近位膜を備え、前記膜は、前記再造形プロセスと血液との相互作用を抑制する請求項１０に記載のカテーテル・システム。
【請求項１２】
前記遠位膜は、放射状に膨張するように前記バスケットの前記遠位部分により支えられ、前記近位膜は、放射状に膨張するように前記バスケットの前記近位部分により支えられる請求項１１に記載のカテーテル・システム。
【請求項１３】
前記近位膜と遠位膜のうちの少なくとも１つは、前記バスケットから軸方向にオフセットされたバルーンを含む請求項１２に記載のカテーテル・システム。
【請求項１４】
前記電極は、前記軸を中心として周辺に分配された少なくとも３つの選択可能な電極からなる配列、および前記検出された粥状硬化物質に応答して前記電極配列の偏倚性サブセットを選択的に通電するため前記電源を前記電極配列に結合するコントローラを備える請求項１に記載のカテーテル・システム。
【請求項１５】
それぞれの電極は、前記膨張可能構造の隣接するストラットにより支えられる金属面を含み、関連する導体は前記電極面を前記コントローラに電気的に結合するように前記電極から近位に延ばされる請求項１４に記載のカテーテル・システム。
【請求項１６】
コントローラは、ＲＦエネルギーとマイクロ波エネルギーのうちの少なくとも一方を送ることにより前記エネルギー指向面のサブセットを選択的に通電する請求項１に記載のカテーテル・システム。
【請求項１７】
前記粥状硬化物質検出器は、超音波振動子または光干渉反射率計を備える請求項１に記載のカテーテル・システム。
【請求項１８】
さらに、前記粥状硬化物質検出器に結合されたディスプレイを備え、前記ディスプレイは前記カテーテル軸を中心として分布する周辺粥状硬化物質厚さの画像を示す請求項１に記載のカテーテル・システム。
【請求項１９】
患者の血管から粥状硬化物質の偏倚性除去を行うためのカテーテル・システムであって、
間に軸を置く近位端と遠位端を持つ細長く曲げやすいカテーテル本体と、
前記カテーテル本体の前記遠位端近くの放射状に膨張可能な構造と、
前記膨張可能構造が膨張したときに粥状硬化物質に対し放射状に押し付けられるように向けられた複数の電極と、
粥状硬化物質の周辺測定のため前記カテーテル本体の遠位端近くに配置された粥状硬化物質検出器と、
前記電極に電気的に結合された電源であって、前記測定された粥状硬化物質の偏倚性切除を行うために前記電極に通電する前記電源とを備えるカテーテル・システム。
【請求項２０】
前記カテーテル本体は、前記近位端と前記遠位端との間に延びる内腔を持つ請求項１９に記載のカテーテル・システム。
【請求項２１】
さらに、前記カテーテル本体の前記近位端で前記内腔と流体により連絡する吸引コネクタを備える請求項２０に記載のカテーテル・システム。
【請求項２２】
さらに、それぞれ前記電極の近位と遠位に配置された近位と遠位切除破片バリヤ、および粥状硬化物質切除時に切除破片を除去するため前記近位バリヤと前記遠位バリヤとの間に配置された吸引ポートを備える請求項２１に記載のカテーテル・システム。
【請求項２３】
前記粥状硬化物質検出器は、前記内腔内に配置された、血管内超音波法カテーテルの超音波振動子を備える請求項２０に記載のカテーテル・システム。
【請求項２４】
さらに、前記カテーテル本体の前記近位端と前記カテーテル本体の前記遠位端との間に延びる洗浄内腔を備える請求項２０に記載のカテーテル・システム。
【請求項２５】
さらに、前記血管の再狭窄を抑制するために前記内腔内で遠位に進めることができる再狭窄抑制剤を備える請求項２０に記載のカテーテル・システム。
【請求項２６】
前記再狭窄抑制剤は、放射線源を備える近接照射療法カテーテルを含む請求項２５に記載のカテーテル・システム。
【請求項２７】
前記放射状膨張可能本体は、複数の曲げやすいストラットを備え、前記電極は、円周方向に向けられた配列を形成する請求項１９に記載のカテーテル・システム。
【請求項２８】
前記放射状膨張可能構造のストラットは、膨張可能バスケットを形成するために間に配置された切り目を持ち、前記バスケットは、近位部分と遠位部分を持ち、中間部分はそれらの間に配置され、電極の配列は前記バスケットが前記血管内で膨張したときに前記隣接する粥状硬化物質と係合するように前記中間部分に沿って支えられ、さらに、前記バスケットの内部と流体で連絡している吸引ポートを備える請求項２７に記載のカテーテル・システム。
【請求項２９】
さらに、切除破片の遠位移動を抑制するための電極から遠位にある前記血管内に展開可能な遠位膜、および前記切除破片の近位移動を抑制するための前記電極から近位に展開可能な近位膜を備え、前記膜は、前記切除プロセスと血液との相互作用を抑制する請求項２８に記載のカテーテル・システム。
【請求項３０】
前記遠位膜は、放射状に膨張するように前記バスケットの前記遠位部分により支えられ、前記近位膜は、放射状に膨張するように前記バスケットの前記近位部分により支えられる請求項２９に記載のカテーテル・システム。
【請求項３１】
前記近位膜と遠位膜のうちの少なくとも１つは、前記バスケットから軸方向にオフセットされたバルーンを含む請求項３０に記載のカテーテル・システム。
【請求項３２】
前記電極は、前記軸を中心として周辺に分配された少なくとも６つの代替選択可能な電極からなる配列、および前記測定された粥状硬化物質に反応して前記電極配列の偏倚性サブセットを選択的に通電するため前記電源を前記電極配列に結合するコントローラを備える請求項１９に記載のカテーテル・システム。
【請求項３３】
それぞれの電極は、前記膨張可能構造の隣接するストラットにポリマーにより貼り付けられた金属体を含み、関連する導体は前記電極面を前記コントローラに電気的に結合するように前記電極から近位に延ばされる請求項３２に記載のカテーテル・システム。
【請求項３４】
前記コントローラは、ＲＦエネルギーを送ることにより電極を選択的に通電する請求項３２に記載のカテーテル・システム。
【請求項３５】
前記粥状硬化物質検出器は、超音波振動子または光干渉反射率測定機能を備える請求項１９に記載のカテーテル・システム。
【請求項３６】
さらに、前記カテーテル軸を中心として分布する周辺粥状硬化物質厚さの画像を示すディスプレイを備える請求項２０に記載のカテーテル・システム。
【請求項３７】
患者の血管の粥状硬化物質の再造形のためのカテーテルであって、
間に内腔がある近位端と遠位端を持つ細長く曲げやすいカテーテル本体と、
前記カテーテル本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記血管内で膨張したときに隣接する粥状硬化物質の選択的再造形を行う、周辺電極配列と、
前記吸引内腔と前記バスケットの内部との間を流体で連絡させる吸引ポートとを備えるカテーテル。
【請求項３８】
前記カテーテル本体は、吸引内腔を備え、さらに、
前記吸引内腔と前記バスケットの内部との間を流体で連絡させる吸引ポートと、
前記バスケットが前記血管内で膨張したときに破片の遠位移動を抑制するため前記バスケットの前記遠位部分により支えられる遠位膜、および前記バスケットが前記血管内で膨張したときに破片の近位移動を抑制するため前記バスケットの前記近位部分により支えられる近位膜とを備える請求項３７に記載のカテーテル。
【請求項３９】
患者の血管から粥状硬化物質の除去を行うためのカテーテルであって、
間に軸方向吸引内腔がある近位端と遠位端を持つ細長く曲げやすいカテーテル本体と、
前記カテーテル本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記血管内で膨張したときに隣接する粥状硬化物質の切除を行う、周辺電極配列と、
前記吸引内腔と前記バスケットの内部との間を流体で連絡させる吸引ポートと、
前記バスケットが前記血管内で膨張したときに切除破片の遠位移動を抑制するため前記バスケットの前記遠位部分により支えられる遠位膜、および前記バスケットが前記血管内で膨張したときに切除破片の近位移動を抑制するため前記バスケットの前記近位部分により支えられる近位膜とを備えるカテーテル。
【請求項４０】
患者の血管の偏倚性粥状硬化物質の再造形のための方法であって、
前記血管内に、また前記粥状硬化物質に隣接して、カテーテルの作業端の位置を決め、前記カテーテルで軸を定めることと、
前記カテーテルの少なくとも１つのエネルギー送出面を前記粥状硬化物質に対し係合させるために放射状に膨張することと、
前記カテーテルの軸を中心とする前記粥状硬化物質の周辺分布を決定することと、
前記決定された粥状硬化物質分配に応答して前記カテーテルの前記軸に関して前記少なくとも１つのエネルギー送出面から偏倚性的に電気外科的エネルギーの方向を決めることとを含む方法。
【請求項４１】
患者の血管から偏倚性粥状硬化物質除去を行うための方法であって、
前記血管内に、また前記粥状硬化物質に隣接して、カテーテルの作業端の位置を決め、前記カテーテルで軸を定めることと、
前記カテーテルの複数の電極を前記粥状硬化物質に対し係合させるために前記カテーテルを放射状に膨張することと、
前記カテーテルの軸を中心とする前記粥状硬化物質の周辺分布を測定することと、
前記測定された粥状硬化物質分配に応答して前記カテーテルの軸に関して偏倚性的に前記電極から方向を決めることとを含む方法。
【請求項４２】
患者の人体内腔の物質の偏倚性再造形のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺測定のため配置された物質検出器と、
前記電極に電気的に結合された、前記測定された物質の偏倚性再造形を行うために前記電極に通電する、電源とを備えるシステム。
【請求項４３】
患者の人体内腔の閉塞物質の再造形のための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質の再造形を行う、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【請求項４４】
患者の人体内腔の物質の偏倚性除去のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺測定のため前記カテーテル本体の遠位端近くに配置された物質検出器と、
前記電極に電気的に結合された電源であって、前記測定された物質の偏倚性切除を行うために前記電極に通電する前記電源とを備えるシステム。
【請求項４５】
患者の人体内腔から閉塞物質の除去を行うための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質の切除を行う、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【請求項４６】
患者の人体内腔の物質の偏倚性再造形のためのシステムであって、
間に軸を置く近位端と遠位端を持つ細長い本体と、
前記カテーテル本体の前記遠位端近くの放射状に膨張可能な構造と、
前記膨張可能構造が前記人体内腔内で膨張したときに物質に対し放射状に押し付けられるように向けられた複数の電極と、
前記物質の周辺検出のため配置された物質検出器と、
前記電極に電気的に結合された、前記検出された物質の偏倚性再造形を行うために前記電極に通電する、電源とを備えるシステム。
【請求項４７】
患者の人体内腔内で閉塞物質の再造形を行うための機器であって、
間に軸方向吸引内腔がある近位端と遠位端を持つ細長い本体と、
前記本体の前記遠位端近くにある、中間部分が間に配置される近位部分と遠位部分を持つ、放射状膨張可能バスケットと、
前記放射状膨張可能バスケットの前記中間部分を中心として周辺に分配され、前記バスケットが前記人体内腔内で膨張したときに隣接する閉塞物質と係合する、周辺電極配列と、
前記吸引内腔と前記バスケットの内部との間を流体で連絡させる吸引ポートと、
前記バスケットが前記人体内腔内で膨張したときに前記膜を膨張するため前記バスケットの前記遠位部分により支えられる遠位膜、および前記バスケットが前記人体内腔内で膨張したときに前記膜を膨張するため前記バスケットの前記近位部分により支えられる近位膜とを備える機器。
【国際調査報告】
2007504910.tif 000071